(57)【要約】  【課題】  本発明は、コンテンツの記録された記録媒体と異なる記録場所で記録された関連情報を、コンテンツが複製された記録媒体に対して取得することができるコンテンツ管理システムを提供することを目的とする。  【解決手段】  オーディオ機器１で記録媒体１０に記録されたコンテンツが半導体メモリ装置２に転送される際、転送されるコンテンツに対するＴＯＣキーも半導体メモリ装置２に記録される。そして、ＣＤＤＢ４と通信接続可能な関連情報取得装置３に半導体メモリ装置２が設置されると、半導体メモリ装置２内の関連情報のないコンテンツのＴＯＣキーに基づいて、ＣＤＤＢ４が検索され、関連情報の取得が成される。【選択図】      図１
2007172244.tif 000002
【特許請求の範囲】
【請求項１】
コンテンツの書き込み及び読み出しが行われる半導体メモリと、
複数の前記コンテンツを記録する記録媒体を再生するとともに前記半導体メモリに対して前記コンテンツの記録を行うコンテンツ記録再生装置と、
前記コンテンツに関連する関連情報を管理するデータベースと、
前記半導体メモリに記録された前記コンテンツを確認し、確認した前記コンテンツに対応した前記関連情報を前記データベースより取得して前記半導体メモリに記録させる関連情報取得装置と、
を備え、
前記記録媒体が、前記記録媒体自身を特定する記録媒体特定情報と、前記記録媒体が記録しているコンテンツそれぞれを特定するコンテンツ特定情報と、を備え、
前記コンテンツ記録再生装置において、前記記録媒体に記録された前記コンテンツを前記半導体メモリに転送して記録するとき、
前記半導体メモリに転送する前記コンテンツのコンテンツ特定情報と前記記録媒体特定情報とを組み合わせた特定情報を、前記コンテンツを指定するインデックス情報として、前記コンテンツとともに前記半導体メモリに記録し、
前記関連情報取得装置が、前記半導体メモリに記録された前記インデックス情報に基づいて前記関連情報を前記データベースから取得して、前記半導体メモリに記録することを特徴とするコンテンツ管理システム。
【請求項２】
前記半導体メモリが、
前記コンテンツを記録するデータ領域と、
前記データ領域に記録された前記コンテンツそれぞれの記録位置とファイル名とを記録したインデックス領域と、
を備え、
前記コンテンツ記録再生装置及び前記関連情報取得装置それぞれが、前記インデックス領域に従った共通のファイルシステムによって、前記半導体メモリに対する処理動作を行うことを特徴とする請求項１に記載のコンテンツ管理システム。
【請求項３】
前記コンテンツ記録再生装置において、前記記録媒体内の前記コンテンツを前記半導体メモリに転送する際、転送する前記コンテンツの前記インデックス情報に基づいて前記ファイル名を生成して前記半導体メモリの前記インデックス領域に記録することを特徴とする請求項２に記載のコンテンツ管理システム。
【請求項４】
前記関連情報取得装置において、
前記関連情報が取得された前記コンテンツに対して、前記ファイル名を前記関連情報に基づくファイル名として前記半導体メモリの前記インデックス領域に記録し、
前記ファイル名が前記インデックス情報に基づくファイル名であることを確認したとき、前記関連情報が取得されていないものと判断して、前記データベースより前記関連情報の取得を行うことを特徴とする請求項３に記載のコンテンツ管理システム。
【請求項５】
前記コンテンツ記録再生装置において、前記記録媒体内の前記コンテンツを前記半導体メモリに転送する際、転送する前記コンテンツの前記インデックス情報を前記半導体メモリの前記データ領域に前記コンテンツとともに記録することを特徴とする請求項２〜請求項４のいずれかに記載のコンテンツ管理システム。
【請求項６】
前記関連情報取得装置において、
前記関連情報がないことを確認した前記コンテンツの前記インデックス情報を前記データ領域より確認したとき、確認した前記インデックス情報に基づいて前記データベースより前記関連情報の取得を行うことを特徴とする請求項５に記載のコンテンツ管理システム。
【請求項７】
前記半導体メモリの前記データ領域において、前記コンテンツ自体となる主データと前記関連情報とが組み合わされたファイルが記録されることを特徴とする請求項２〜請求項４のいずれかに記載のコンテンツ管理システム。
【請求項８】
前記コンテンツ記録再生装置が、前記記録媒体内の前記コンテンツを前記半導体メモリに転送する際、前記半導体メモリの前記データ領域において、記録される前記コンテンツに対する前記関連情報が記録される関連情報記録用の予約領域が形成され、
前記関連情報取得装置が前記半導体メモリに記録された前記コンテンツの前記関連情報を取得する際、前記予約領域に前記関連情報を記録することを特徴とする請求項２〜請求項７のいずれかに記載のコンテンツ管理システム。
【請求項９】
前記半導体メモリにおいて、記録されたコンテンツが削除されたとしても、前記インデックス情報及び前記関連情報が記録されたままであることを特徴とする請求項１〜請求項８のいずれかに記載のコンテンツ管理システム。
【請求項１０】
前記コンテンツ記録再生装置が、再生する前記コンテンツと一致する前記インデックス情報に基づいて前記半導体メモリに記録された前記関連情報を確認し、当該関連情報を表示することを特徴とする請求項１〜請求項９のいずれかに記載のコンテンツ管理システム。
【請求項１１】
コンテンツの書き込み及び読み出しが行われる半導体メモリの記録及び再生を行う半導体メモリ記録再生ユニットと、
複数の前記コンテンツを記録する記録媒体を再生する記録媒体再生ユニットと、
を備え、
前記記録媒体に記録した前記コンテンツを前記半導体メモリに転送する際、
前記記録媒体に記録された前記記録媒体自身を特定する記録媒体特定情報と前記記録媒体が記録しているコンテンツそれぞれを特定するコンテンツ特定情報とが組み合わされた特定情報を、前記記録媒体再生ユニットで前記記録媒体より読み出し、
前記半導体メモリ記録再生ユニットにおいて、前記記録媒体特定情報と前記コンテンツ特定情報とを組み合わせた特定情報を、前記半導体メモリに転送する前記コンテンツを指定するインデックス情報として、前記半導体メモリに記録することを特徴とするコンテンツ記録再生装置。
【請求項１２】
前記半導体メモリが、
前記コンテンツを記録するデータ領域と、
前記データ領域に記録された前記コンテンツそれぞれの記録位置とファイル名とを記録したインデックス領域と、
を備え、
前記半導体メモリ記録再生ユニットが、前記インデックス領域に従った共通のファイルシステムによって、前記半導体メモリに対する処理動作を行うことを特徴とする請求項１１に記載のコンテンツ記録再生装置。
【請求項１３】
前記半導体メモリ記録再生ユニットにおいて、転送する前記コンテンツの前記インデックス情報に基づいて前記ファイル名を生成して前記半導体メモリの前記インデックス領域に記録することを特徴とする請求項１２に記載のコンテンツ記録再生装置。
【請求項１４】
前記半導体メモリ記録再生ユニットにおいて、転送する前記コンテンツの前記インデックス情報を前記半導体メモリの前記データ領域に前記コンテンツとともに記録することを特徴とする請求項１２又は請求項１３に記載のコンテンツ記録再生装置。
【請求項１５】
前記半導体メモリ記録再生ユニットが、前記半導体メモリの前記データ領域に対して、記録される前記コンテンツに対する前記関連情報が記録される関連情報記録用の予約領域を形成することを特徴とする請求項１２〜請求項１４のいずれかに記載のコンテンツ記録再生装置。
【請求項１６】
前記関連情報を表示する表示部を備え、
前記記録媒体又は前記半導体メモリに記録された前記コンテンツを再生するとき、
前記半導体メモリ記録再生ユニットが、再生する前記コンテンツと一致する前記インデックス情報に基づいて前記半導体メモリに記録された前記関連情報を確認し、
当該関連情報を前記表示部に表示することを特徴とする請求項１１〜請求項１５のいずれかに記載のコンテンツ記録再生装置。
【請求項１７】
請求項１に記載のコンテンツ管理システムの前記関連情報取得装置の動作プログラムである関連情報取得用プログラムであって、
前記半導体メモリに記録された前記コンテンツに対する前記関連情報が、前記半導体メモリに記録されているか否かを確認する第１ステップと、
該第１ステップで前記半導体メモリに前記関連情報が記録されていないことが確認された前記コンテンツの前記インデックス情報より、前記コンテンツの前記記録媒体特定情報と前記コンテンツ特定情報を確認する第２ステップと、
該第２ステップで確認した前記記録媒体特定情報と前記コンテンツ特定情報とに基づいて、前記データベースより前記コンテンツの前記関連情報を検索する第３ステップと、
該第３ステップで検索した前記関連情報を前記半導体メモリに記録する第４ステップと、
を備えることを特徴とする関連情報取得用プログラム。
【請求項１８】
前記半導体メモリが、
前記コンテンツを記録するデータ領域と、
前記データ領域に記録された前記コンテンツそれぞれの記録位置とファイル名とを記録したインデックス領域と、
を備え、
前記半導体メモリの前記インデックス領域に従った共通のファイルシステムに基づいた処理動作を行うプログラムであることを特徴とする請求項１７に記載の関連情報取得用プログラム。
【請求項１９】
前記第４ステップにおいて、前記関連情報が取得された前記コンテンツに対して、前記ファイル名を前記関連情報に基づくファイル名として前記半導体メモリの前記インデックス領域に記録し、
前記第１ステップにおいて、前記コンテンツの前記ファイル名が前記関連情報に基づくものでないことを確認したとき、当該コンテンツの前記関連情報が記録されていないことを認識することを特徴とする請求項１８に記載の関連情報取得用プログラム。
【請求項２０】
前記半導体メモリにおいて、前記インデックス情報が前記コンテンツとともに前記データ領域に記録され、
前記第２ステップにおいて、前記データ領域内の前記インデックス情報より、前記コンテンツの前記記録媒体特定情報と前記コンテンツ特定情報を確認することを特徴とする請求項１８又は請求項１９に記載の関連情報取得用プログラム。
【請求項２１】
前記半導体メモリに前記コンテンツが記録される際、前記半導体メモリの前記データ領域において、記録される前記コンテンツに対する前記関連情報が記録される関連情報記録用の予約領域が形成され、
前記第４ステップにおいて、前記第３ステップで取得した前記関連情報を、前記半導体メモリの前記データ領域における前記予約領域に記録することを特徴とする請求項１８〜請求項２０のいずれかに記載の関連情報取得用プログラム。
【請求項２２】
請求項１７〜請求項２１のいずれかに記載の関連情報取得用プログラムに従って動作する関連情報取得装置であって、
前記データベースと接続して前記データベースとのデータのやりとりを行う第１通信接続部と、
前記半導体メモリと接続して前記半導体メモリとのデータのやりとりを行う第２通信接続部と、
前記関連情報取得用プログラムに従って前記データベース及び前記半導体メモリとのデータのやりとり及びデータの処理を行う制御部と、
を備えることを特徴とする関連情報取得装置。
【発明の詳細な説明】
【技術分野】
【０００１】
本発明は、記録媒体に記録されたコンテンツの関連情報を記録媒体と異なる記録場所で管理するコンテンツ管理システムに関する。又、本発明は、このコンテンツ管理システムにおいて使用されるコンテンツ記録再生装置、関連情報取得用プログラム、及び、関連情報取得装置に関する。
【背景技術】
【０００２】
近年、映画や音楽などのアナログ情報によるコンテンツをデジタル情報化して記録又は再生する技術が開発され、多様化されている。このような、デジタル情報化されたコンテンツが記録される記録媒体として、ＣＤ（Compact Disk）やＤＶＤ（Digital Versatile Disk）などの光ディスクや、ＭＤ（Mini Disk）などの光磁気ディスクだけでなく、データ圧縮技術や記録媒体の記録容量の増大化が進んだことにより、半導体メモリ装置や半導体メモリカードが使用されている。
【０００３】
最近の携帯型の記録再生装置の開発、及び、小型化が可能であるという利便性により、半導体メモリカードが挿入される記録再生装置や半導体メモリ装置の普及が進んでいる。この半導体メモリ装置や半導体メモリカードには、パーソナルコンピュータ（ＰＣ）で処理されるファイルとして音楽コンテンツなどを記録することができる。更に、半導体メモリ装置や半導体メモリカードを一つの記録媒体としてみなし、その記録及び再生が可能であるとともに、半導体メモリ装置及び半導体メモリカード以外の光ディスクや光磁気ディスクなどの記録及び再生を行うことのできるコンテンツ記録再生装置が実用化されつつある。
【０００４】
又、ＰＣにおいて使用されるＣＤ再生用アプリケーションプログラムにおいては、ＰＣの備えるＣＤドライブ装置に挿入された音楽ＣＤに格納された楽曲に対する歌手名や曲名といった音楽コンテンツの関連情報が要求される。しかしながら、ＣＤには、曲数や曲のアドレス位置を示すＴＯＣ（Table Of Contents）情報が格納されているが、音楽コンテンツの関連情報は格納されていない。又、ＣＤそのものを特定するための、ＩＳＲＣ（International Standard Recording Code）コードやＵＰＣ（Universal Product Code）コードが格納されている。
【０００５】
そこで、ＣＤに格納されたＴＯＣ情報、ＩＳＲＣコード、及びＵＰＣコードを組み合わせたコード（以下、この組み合わせたコードを「ＴＯＣキー」と呼ぶ）と音楽コンテンツの関連情報とを対応させたデータベースであるＣＤデータベース（ＣＤＤＢ）が利用される。即ち、ＰＣがインターネットを介してＣＤＤＢを参照することで、現在再生している音楽コンテンツのＴＯＣ情報と、ＣＤのＩＳＲＣコード及びＵＰＣコードとに応じた関連情報を検索して取得する。そして、ＰＣが、ＣＤＤＢより取得した関連情報より、再生している音楽コンテンツとなる楽曲の歌手名や曲名を認識し、表示させる。
【０００６】
このＣＤＤＢを含む複数種類の外部のデータベースと通信を行うことで、音楽コンテンツの関連情報の検索を行う媒体情報検索装置及び媒体情報検索方法が提案されている（特許文献１参照）。この媒体情報検索装置及び媒体情報検索方法では、ＴＯＣ情報によるＣＤＤＢの検索を行ったときに、音楽コンテンツの関連情報の検索が不可能である場合や、複数の音楽コンテンツの関連情報が検索された場合、ＩＳＲＣコードのなどの著作権情報を用いて、音楽会社や販売会社のホームページデータを有するデータベースを検索することで、音楽コンテンツの関連情報を正確に取得している。
【特許文献１】特開２００５−１２２８６３号公報
【発明の開示】
【発明が解決しようとする課題】
【０００７】
特許文献１のような媒体情報検索装置を使用した場合、コンテンツの記録又は再生を行うときに、このコンテンツが記録された記録媒体のサブコードやＴＯＣ情報などから、コンテンツの関連情報を取得することができる。しかしながら、このような機能を実現するためには、従来のコンテンツ記録再生装置に対して、ＣＤＤＢを含む外部のデータベースと通信接続するために、インターネットに接続するためのインターフェースを追加する必要がある。又、従来は、光ディスクや光磁気ディスクにおけるコンテンツを半導体メモリ装置や半導体メモリカードのような他の記録媒体に記録することのできるコンテンツ記録再生装置において、特許文献１のような機能を備えていない。そのため、他の記録媒体に記録する場合、ユーザがコンテンツ記録再生装置を操作することで、コンテンツの関連情報が他の記録媒体に格納されるように、関連情報を直接入力する必要があった。
【０００８】
このような問題を鑑みて、本発明は、コンテンツの記録された記録媒体と異なる記録場所で記録された関連情報を、コンテンツが複製された記録媒体に対して取得することができるコンテンツ管理システムを提供することを目的とする。又、本発明は、コンテンツの記録された記録媒体から別の記録媒体へコンテンツの複製を行うとともに、コンテンツが複製された記録媒体を、記録媒体と異なる記録場所で記録された関連情報を取得することができるように加工するコンテンツ記録再生装置を提供することを別の目的とする。又、本発明は、コンテンツの記録された記録媒体と異なる記録場所で記録された関連情報を、コンテンツが複製された記録媒体に対して取得する関連情報取得用プログラム及び関連情報取得装置を提供することを別の目的とする。
【課題を解決するための手段】
【０００９】
上記目的を達成するために、本発明のコンテンツ管理システムは、コンテンツの書き込み及び読み出しが行われる半導体メモリと、複数の前記コンテンツを記録する記録媒体を再生するとともに前記半導体メモリに対して前記コンテンツの記録を行うコンテンツ記録再生装置と、前記コンテンツに関連する関連情報を管理するデータベースと、前記半導体メモリに記録された前記コンテンツを確認し、確認した前記コンテンツに対応した前記関連情報を前記データベースより取得して前記半導体メモリに記録させる関連情報取得装置と、を備え、前記記録媒体が、前記記録媒体自身を特定する記録媒体特定情報と、前記記録媒体が記録しているコンテンツそれぞれを特定するコンテンツ特定情報と、を備え、前記コンテンツ記録再生装置において、前記記録媒体に記録された前記コンテンツを前記半導体メモリに転送して記録するとき、前記半導体メモリに転送する前記コンテンツのコンテンツ特定情報と前記記録媒体特定情報とを組み合わせた特定情報を、前記コンテンツを指定するインデックス情報として、前記コンテンツとともに前記半導体メモリに記録し、前記関連情報取得装置が、前記半導体メモリに記録された前記インデックス情報に基づいて前記関連情報を前記データベースから取得して、前記半導体メモリに記録することを特徴とする。
【００１０】
このようなコンテンツ管理システムにおいて、前記半導体メモリが、前記コンテンツを記録するデータ領域と、前記データ領域に記録された前記コンテンツそれぞれの記録位置とファイル名とを記録したインデックス領域と、を備え、前記コンテンツ記録再生装置及び前記関連情報取得装置それぞれが、前記インデックス領域に従った共通のファイルシステムによって、前記半導体メモリに対する処理動作を行う。このとき、この共通のファイルシステムとして、ＦＡＴ管理型の管理方式が用いられるものとしても構わない。
【００１１】
前記コンテンツ記録再生装置において、前記記録媒体内の前記コンテンツを前記半導体メモリに転送する際、転送する前記コンテンツの前記インデックス情報に基づいて前記ファイル名を生成して前記半導体メモリの前記インデックス領域に記録するものとしても構わない。このとき、前記関連情報取得装置において、前記関連情報が取得された前記コンテンツに対して、前記ファイル名を前記関連情報に基づくファイル名として前記半導体メモリの前記インデックス領域に記録し、前記ファイル名が前記インデックス情報に基づくファイル名であることを確認したとき、前記関連情報が取得されていないものと判断して、前記データベースより前記関連情報の取得を行う。
【００１２】
又、前記コンテンツ記録再生装置において、前記記録媒体内の前記コンテンツを前記半導体メモリに転送する際、転送する前記コンテンツの前記インデックス情報を前記半導体メモリの前記データ領域に前記コンテンツとともに記録するものとしても構わない。このとき、前記関連情報取得装置において、前記関連情報がないことを確認した前記コンテンツの前記インデックス情報を前記データ領域より確認したとき、確認した前記インデックス情報に基づいて前記データベースより前記関連情報の取得を行う。
【００１３】
又、前記半導体メモリの前記データ領域において、前記コンテンツ自体となる主データと前記関連情報とが組み合わされたファイルが記録されるものとしても構わない。
【００１４】
更に、前記コンテンツ記録再生装置が、前記記録媒体内の前記コンテンツを前記半導体メモリに転送する際、前記半導体メモリの前記データ領域において、記録される前記コンテンツに対する前記関連情報が記録される関連情報記録用の予約領域が形成され、前記関連情報取得装置が前記半導体メモリに記録された前記コンテンツの前記関連情報を取得する際、前記予約領域に前記関連情報を記録するものとしても構わない。
【００１５】
前記半導体メモリにおいて、記録されたコンテンツが削除されたとしても、前記インデックス情報及び前記関連情報が記録されたままであるものとしても構わない。このようにすることで、前記コンテンツ記録再生装置において前記コンテンツの再生を行うとき、当該コンテンツが前記半導体メモリから削除されたコンテンツであっても、前記半導体メモリに記録された前記インデックス情報を参照して前記関連情報を確認することができる。
【００１６】
又、前記コンテンツ記録再生装置が、再生する前記コンテンツと一致する前記インデックス情報に基づいて前記半導体メモリに記録された前記関連情報を確認し、当該関連情報を表示するものとしても構わない。
【００１７】
本発明のコンテンツ記録再生装置は、コンテンツの書き込み及び読み出しが行われる半導体メモリの記録及び再生を行う半導体メモリ記録再生ユニットと、複数の前記コンテンツを記録する記録媒体を再生する記録媒体再生ユニットと、を備え、前記記録媒体に記録した前記コンテンツを前記半導体メモリに転送する際、前記記録媒体に記録された前記記録媒体自身を特定する記録媒体特定情報と前記記録媒体が記録しているコンテンツそれぞれを特定するコンテンツ特定情報とが組み合わされた特定情報を、前記記録媒体再生ユニットで前記記録媒体より読み出し、前記半導体メモリ記録再生ユニットにおいて、前記記録媒体特定情報と前記コンテンツ特定情報とを組み合わせた特定情報を、前記半導体メモリに転送する前記コンテンツを指定するインデックス情報として、前記半導体メモリに記録することを特徴とする。
【００１８】
そして、前記半導体メモリを、前記コンテンツを記録するデータ領域と、前記データ領域に記録された前記コンテンツそれぞれの記録位置とファイル名とを記録したインデックス領域と、を備えるものとして、前記半導体メモリ記録再生ユニットが、前記インデックス領域に従った共通のファイルシステムによって、前記半導体メモリに対する処理動作を行うものとして構わない。
【００１９】
又、前記半導体メモリ記録再生ユニットにおいて、転送する前記コンテンツの前記インデックス情報に基づいて前記ファイル名を生成して前記半導体メモリの前記インデックス領域に記録するものとしても構わない。更に、前記半導体メモリ記録再生ユニットにおいて、転送する前記コンテンツの前記インデックス情報を前記半導体メモリの前記データ領域に前記コンテンツとともに記録するものとしても構わない。
【００２０】
又、前記半導体メモリ記録再生ユニットが、前記半導体メモリの前記データ領域に対して、記録される前記コンテンツに対する前記関連情報が記録される関連情報記録用の予約領域を形成するものとしても構わない。
【００２１】
前記関連情報を表示する表示部を備え、前記記録媒体又は前記半導体メモリに記録された前記コンテンツを再生するとき、前記半導体メモリ記録再生ユニットが、再生する前記コンテンツと一致する前記インデックス情報に基づいて前記半導体メモリに記録された前記関連情報を確認し、当該関連情報を前記表示部に表示するものとしても構わない。
【００２２】
本発明の関連情報取得用プログラムは、上述のコンテンツ管理システムの前記関連情報取得装置の動作プログラムである関連情報取得用プログラムであって、前記半導体メモリに記録された前記コンテンツに対する前記関連情報が、前記半導体メモリに記録されているか否かを確認する第１ステップと、該第１ステップで前記半導体メモリに前記関連情報が記録されていないことが確認された前記コンテンツの前記インデックス情報より、前記コンテンツの前記記録媒体特定情報と前記コンテンツ特定情報を確認する第２ステップと、該第２ステップで確認した前記記録媒体特定情報と前記コンテンツ特定情報とに基づいて、前記データベースより前記コンテンツの前記関連情報を検索する第３ステップと、該第３ステップで検索した前記関連情報を前記半導体メモリに記録する第４ステップと、を備えることを特徴とする。
【００２３】
又、このような関連情報取得用プログラムは、前記半導体メモリを、前記コンテンツを記録するデータ領域と、前記データ領域に記録された前記コンテンツそれぞれの記録位置とファイル名とを記録したインデックス領域と、を備えるものとしたとき、前記半導体メモリの前記インデックス領域に従った共通のファイルシステムに基づいた処理動作を行うプログラムとなる。
【００２４】
更に、前記第４ステップにおいて、前記関連情報が取得された前記コンテンツに対して、前記ファイル名を前記関連情報に基づくファイル名として前記半導体メモリの前記インデックス領域に記録し、前記第１ステップにおいて、前記コンテンツの前記ファイル名が前記関連情報に基づくものでないことを確認したとき、当該コンテンツの前記関連情報が記録されていないことを認識するものとしても構わない。
【００２５】
又、前記半導体メモリにおいて、前記インデックス情報が前記コンテンツとともに前記データ領域に記録され、前記第２ステップにおいて、前記データ領域内の前記インデックス情報より、前記コンテンツの前記記録媒体特定情報と前記コンテンツ特定情報を確認するものとしても構わない。このとき、前記半導体メモリに前記コンテンツが記録される際、前記半導体メモリの前記データ領域において、記録される前記コンテンツに対する前記関連情報が記録される関連情報記録用の予約領域が形成され、前記第４ステップにおいて、前記第３ステップで取得した前記関連情報を、前記半導体メモリの前記データ領域における前記予約領域に記録する。
【００２６】
本発明の関連情報取得装置は、上述のいずれかの関連情報取得用プログラムに従って動作する関連情報取得装置であって、前記データベースと接続して前記データベースとのデータのやりとりを行う第１通信接続部と、前記半導体メモリと接続して前記半導体メモリとのデータのやりとりを行う第２通信接続部と、前記関連情報取得用プログラムに従って前記データベース及び前記半導体メモリとのデータのやりとり及びデータの処理を行う制御部と、を備えることを特徴とする。
【発明の効果】
【００２７】
本発明によると、データベースと接続していないコンテンツ記録再生装置で半導体メモリにコンテンツを転送したときに、そのインデックス情報も半導体メモリに記録されるため、この半導体メモリを関連情報取得装置に接続するのみで容易にコンテンツに対する関連情報を取得することができる。よって、コンテンツ記録再生装置がデータベースと通信接続不可能なものであっても、後に、関連情報取得装置を使用することで、半導体メモリに記録されるコンテンツに対する関連情報を記録させることができる。
【００２８】
又、インデックス情報に基づいてファイル名を生成して半導体メモリのインデックス領域に記録するため、関連情報取得装置では、データ領域を確認する必要がなく、インデックス領域のファイル名を確認するのみで、インデックス情報を取得して、データベースから関連情報の検索を行うことができる。更に、このインデックス情報が、コンテンツ特定情報と記録媒体特定情報とを組み合わせた特定情報によって構成するため、インデックス情報を汎用性の高い情報として構成することができる。又、このインデックス情報をファイル名とすることで、コンテンツ及び記録媒体それぞれ特有の情報から構成されるファイル名となるため、別のファイルと同一のファイル名が作成される可能性が低くなる。
【発明を実施するための最良の形態】
【００２９】
本発明の実施形態について、図面を参照して以下に説明する。
【００３０】
＜コンテンツ管理システムの構成＞
まず、本実施形態におけるコンテンツ管理システムの構成について、図面を参照して説明する。図１は、本実施形態のコンテンツ管理システムの構成を示すブロック図である。
【００３１】
図１に示すコンテンツ管理システムは、ＣＤやＤＶＤを含む記録媒体１０の再生を行うオーディオ機器１（［請求の範囲］における「コンテンツ記録再生装置」に相当する）と、オーディオ機器１と接続して通信可能なメモリプレーヤなどの半導体メモリ装置２と、半導体メモリ装置２と接続して通信可能な関連情報取得装置３と、関連情報取得装置３とインターネットを含むネットワーク５を介して相互通信を行うＣＤＤＢ４と、を備える。尚、以下では、記録媒体１０及び半導体メモリ装置３に格納されるコンテンツは、音楽コンテンツとして説明する。
【００３２】
このようなコンテンツ管理システムにおいて、オーディオ機器１の記録媒体再生ユニット１１に記録媒体１０が設置されて、記録媒体１０に記録されたコンテンツの再生が行われる。又、半導体メモリ装置２が半導体メモリ記録再生ユニット１２に挿入されて接続されると、半導体メモリ装置２に対してコンテンツの記録又は再生を行う。更に、オーディオ機器１は、ＬＣＤ（liquid Crystal Display）などの表示部１３を備え、記録媒体１０又は半導体メモリ装置２に格納されたコンテンツの曲名や歌手名などの関連情報を表示部１３に表示する。そして、このオーディオ機器１において、図２（ａ）のように、記録媒体１０及び半導体メモリ装置２それぞれが記録媒体再生ユニット１１及び半導体メモリ記録再生ユニット１２に設置されたとき、記録媒体１０のコンテンツを半導体メモリ装置２に記録することができる。
【００３３】
半導体メモリ装置２は、図２（ｂ）のように、記録したコンテンツの再生を自機器のみで行うことができ、半導体メモリ装置２本体に接続されたイヤホン５０より音声出力を行う。このとき、半導体メモリ装置２は、ＬＣＤなどの表示部５１を備えて、再生しているコンテンツの関連情報を表示部５１に表示する。
【００３４】
関連情報取得装置３は、図２（ｃ）のように、半導体メモリ装置２と接続されて半導体メモリ装置２と通信可能な状態となると、後述するアプリケーションプログラムを実行し、ＣＤＤＢ４とネットワーク５を介して通信を行うことで、半導体メモリ装置２に格納されたコンテンツの関連情報の取得を行うことができる。又、関連情報取得装置３をＰＣとする場合は、半導体メモリ装置２に格納されたコンテンツを読み出して、コンテンツの再生を行うことができるとともに、関連情報取得装置３内に記録したコンテンツを半導体メモリ装置２に転送して記録させることができる。
【００３５】
＜ファイル管理方式＞
このようなコンテンツ管理システムにおけるコンテンツそれぞれのデジタルデータによって構成されるファイルが、オーディオ機器１の半導体メモリ記録再生ユニット１２及び半導体メモリ装置２それぞれにおいて、関連情報取得装置３で使用するファイル管理方式と同一のファイル管理方式で管理される。このファイル管理方式として、一般的なＦＡＴ（File Allocation Table）管理型の方式が使用されるものとする。このＦＡＴ管理型のファイル管理方式について、図面を参照して以下に説明する。
【００３６】
図３に示すように、ＦＡＴ管理型のファイル管理方式によりファイル管理が行われる光ディスクやハードディスクや半導体メモリを含む記録媒体においては、記録媒体における欠陥部位などを示す欠陥管理情報などのＦＡＴ管理型のファイル管理方式による管理不可能な情報が格納されるＦＡＴ外領域Ｘａと、ＦＡＴ管理型のファイル管理方式による管理が行われるＦＡＴボリューム領域Ｘｂと、を備える。
【００３７】
そして、ＦＡＴボリューム領域Ｘｂが、ＢＰＢ（Bios Parameter Block）などの記録媒体の属性情報が記録される予約領域Ｘ１と、Ｎセクタを１クラスタなる単位として各クラスタの記録状態を示すＦＡＴ領域Ｘ２と、記録媒体に記録されている各ファイルの先頭クラスタ番号やファイル名及びファイル属性が記録されるディレクトリエントリ領域Ｘ３と、ファイル本体のデータが記録されるデータ領域Ｘ４とによって、構成される。このとき、予約領域Ｘ１が特定のセクタ番号による領域に規定されるため、オーディオ機器１の半導体メモリ記録再生ユニット１２、半導体メモリ装置２、及び関連情報取得装置３それぞれのオペレーティングシステムでは、この特定のセクタ番号の予約領域Ｘ１に格納されたＢＰＢなどのデータを読み出して、記録媒体の構成を確認することができる。
【００３８】
このように記録媒体内の記憶領域が構成されるとき、予約領域Ｘ１の図４に示すような構成のＢＰＢが読み出されることによって、１セクタあたりのバイト数、１クラスタあたりのクラスタ数、ＦＡＴ領域Ｘ１におけるＦＡＴテーブルの総数、ディレクトリエントリ領域Ｘ３において管理されるルートディレクトリにおけるファイル数の上限値、記録媒体における総セクタ数、記録媒体の種類、１つのＦＡＴテーブルあたりのセクタ数、１トラックあたりのセクタ数などを、確認することができる。よって、ＢＰＢを確認することによって、記録媒体の容量値及びトラック数や、ＦＡＴ領域Ｘ２やディレクトリエントリ領域Ｘ３の構成などを確認することができる。尚、ＢＰＢに含まれる情報は、図４に示すように、上述の情報以外に、ブートプログラムへのジャンプコードなど他の情報も含まれ、記録媒体の他の状態を確認することができる。
【００３９】
そして、このＢＰＢによりＦＡＴ領域Ｘ２及びディレクトリエントリ領域Ｘ３の構成を確認すると、ＦＡＴ領域Ｘ２内のＦＡＴテーブルにおけるクラスタ毎のリンク情報と、ディレクトリエントリ領域Ｘ３のファイル毎のファイルの先頭クラスタを確認する。このような確認を行うことで、各ファイルのデータ領域Ｘ４で記録されているクラスタ位置及びデータの記録されていない空きクラスタ位置を認識することができる。
【００４０】
ＦＡＴ領域Ｘ２におけるＦＡＴテーブルの構造は、図５に示すように、ＦＡＴテーブルそれぞれに割り振られたＩＤとなるＦＡＴ−ＩＤを備えるとともに、各クラスタの記録状態を示す情報が記録されるＦＡＴエントリを備える。このＦＡＴテーブルにおけるＦＡＴエントリは、データ領域Ｘ４におけるクラスタ毎に対応するように構成される。又、各ＦＡＴエントリにおいて、そのクラスタに記録された同一ファイルの次のデータが記録されたクラスタ（リンク先となるクラスタ）が有る場合は、リンク先となるクラスタのアドレスが記録され、リンク先となるクラスタがない場合、そのファイルの最終のクラスタであること（「FFFF」）が記録される。更に、クラスタがデータの記録されていない空きクラスタであること（「0000」）や、クラスタに記録されたデータに欠陥がある欠陥クラスタであること（「F7FF」）も、各クラスタに対応したＦＡＴエントリに記録される。
【００４１】
又、ディレクトリエントリ領域Ｘ３は、図６に示すように、複数のファイルエントリ及びディレクトリエントリによって構成され、各エントリには、ディレクトリ（フォルダ）そのものを示す情報、各ファイル及び子ディレクトリそれぞれの属性及びファイル名及び先頭クラスタなどの情報、親ディレクトリへのポインタなどが記録される。即ち、図６（ａ）に示すように、ルートディレクトリに対するディレクトリエントリ領域が、ルートディレクトリを示すボリュームラベルと、ルートディレクトリ内のディレクトリそれぞれを示すディレクトリエントリと、未使用のファイルエントリと、ルートディレクトリ内のファイルそれぞれを示すファイルエントリと、によって構成される。
【００４２】
又、親ディレクトリ内の子ディレクトリは、図６（ｂ）に示すように、ディレクトリそのものであることを示すファイルエントリと、親ディレクトリへのポインタを示すファイルエントリと、そのディレクトリ内のディレクトリ及びファイルそれぞれとを示すディレクトリエントリ及びファイルエントリと、未使用のファイルエントリと、によって構成される。
【００４３】
更に、各ファイルエントリは、図６（ｃ）に示すように、ファイル名及びディレクトリ名を記録する名前用領域Ａ１と、ファイルの種類となる拡張子を記録する拡張子用領域Ａ２と、ファイル又はディレクトリの属性を記録する属性用領域Ａ３と、記録日時を記録する記録日時用領域Ａ４と、ファイルのデータ領域Ｘ４における先頭クラスタを記録する先頭クラスタ用領域Ａ５と、ファイルの大きさを記録するファイルサイズ用領域Ａ６とによって構成される。又、名前用領域Ａ１の先頭部分において、未使用ディレクトリエントリであることを示す「00」や、ディレクトリそのものであることを示す「2E」や、親ディレクトリへのポインタであることを示す「2E2E」などが記録されることで、ディレクトリエントリの記録内容が確認される。
【００４４】
このように、ＦＡＴ領域Ｘ２におけるＦＡＴテーブルとディレクトリエントリ領域Ｘ３におけるディレクトリエントリ及びファイルエントリとが構成されるとき、このＦＡＴテーブルとディレクトリエントリ及びファイルエントリとを参照することで、記録媒体に対するファイルの読み出しや書き込みが行われる。
【００４５】
記録媒体にファイルが書き込まれるとき、ディレクトリエントリ領域Ｘ３より、ファイルが書き込まれるディレクトリに対する領域を確認し、確認した領域の未使用のファイルエントリに対して、図６（ｃ）のように、そのファイル名、拡張子、属性、記録日時が記録される。そして、図５に示すＦＡＴテーブルより、ＦＡＴエントリが「0000」となる空きクラスタが確認され、始めに確認した空きクラスタを先頭クラスタとして、図６（ｃ）に示すファイルエントリに記録される。
【００４６】
その後、確認されたＦＡＴエントリに応じたデータ領域Ｘ４における空きクラスタにデータが記録され、更に、記録するデータがあるときは、図５に示すＦＡＴテーブルより、ＦＡＴエントリが「0000」となる次の空きクラスタが確認される。この確認された空きクラスタを示すＦＡＴエントリの番号がリンク先として、直前にデータが格納されたクラスタを示すＦＡＴエントリに記録される。このようにして、データの記録を行うための空きクラスタの確認を行うとともに、データが格納されたクラスタを示すリンク先がＦＡＴテーブルのＦＡＴエントリに記録される。そして、記録媒体に書き込むファイルのデータの記録が終了すると、最後にデータが記録されたデータ領域Ｘ４におけるクラスタを示すＦＡＴエントリに「FFFF」が記録されることとなる。
【００４７】
一方、記録媒体からファイルが読み出されるとき、まず、ディレクトリエントリ領域Ｘ３を参照することで、目的とするファイルのファイルエントリを確認する。今、図７（ａ）のように、読み出すファイルｆ１に対するファイルエントリＤ１が確認されると、このファイルエントリＤ１の先頭クラスタ用領域Ａ５に記録された内容より、先頭クラスタの番号（以下、「クラスタ番号」とする）が「５」であることが認識される。そして、図７（ｃ）のように、データ領域Ｘ４内のクラスタ番号が「５」となるクラスタからデータＤＡが読み出されるとともに、図７（ｂ）のように、ＦＡＴ領域Ｘ２のＦＡＴテーブルより、クラスタ番号「５」のクラスタに対応するエントリ番号「５」のＦＡＴエントリに記録されたリンク先が確認される。
【００４８】
その後、エントリ番号「５」のＦＡＴエントリの内容「0300」より、図７（ｃ）のように、クラスタ番号「３」のクラスタからデータＤＢが読み出されるとともに、図７（ｂ）のように、エントリ番号「３」のＦＡＴエントリの内容「0700」より、次のリンク先がエントリ番号「７」であることが確認される。尚、ＦＡＴエントリでは、下位バイト、上位バイトの順となる２バイトの情報が記録されている。その後、図７（ｂ）のようなＦＡＴ領域Ｘ２のＦＡＴテーブルを参照することで、図７（ｃ）のように、クラスタ番号「７」、「８」、「９」のクラスタのデータＤＣ，ＤＤ，ＤＥを読み出す。そして、エントリ番号「９」のＦＡＴエントリの内容「FFFF」を確認することで、ファイルｆ１を構成するデータが全て読み出されたことが確認され、ファイルｆ１の読み出しを終了する。
【００４９】
このようなＦＡＴ管理型のファイル管理方式を採用したオーディオ機器１及び半導体メモリ装置２の構成について、以下に説明する。
【００５０】
＜オーディオ機器＞
まず、オーディオ機器１の構成について、図８を参照して説明する。図８は、オーディオ機器１の内部構成を示すブロック図である。
【００５１】
オーディオ機器１は、図８に示すように、記録媒体１０の再生を行う記録媒体再生ユニット１１と、半導体メモリ装置２と通信接続される半導体メモリ記録再生ユニット１２と、ＬＣＤなどで構成される表示部１３と、オーディオ機器１内の各ブロックの動作制御を統制するシステムマイコン１４と、ユーザによる入力が行われるキー入力部１５と、記録媒体再生ユニット１１から出力されるアナログ信号である音声信号をデジタル信号に変換するＡＤ変換回路１６と、ＭＰ３（MPEG Audio Layer-3）圧縮方式などの圧縮方式に従ってＡＤ変換回路１６からのデジタル信号を圧縮する圧縮回路１７と、半導体メモリ記録再生ユニット１２からの圧縮されたデジタル信号を伸張する伸張回路１８と、圧縮回路１７及び伸張回路１８それぞれからのデジタル信号を一時的に保管するワークバッファ１９と、ワークバッファ１９で保管された伸張回路１８からのデジタル信号をアナログ信号に変換するＤＡ変換回路２０と、記録媒体再生ユニット１１及びＤＡ変換回路２０それぞれから出力されるアナログ信号となる音声信号を選択して増幅する再生出力アンプ２１と、再生出力アンプ２１で増幅された音声信号を再生出力するスピーカ２２と、を備える。
【００５２】
（記録媒体内の音楽コンテンツの再生）
このようなオーディオ機器１によると、キー入力部１５が操作されて、記録媒体１０に記録された音楽コンテンツの再生が要求されると、システムマイコン１４によって、記録媒体再生ユニット１１が再生動作を行い、再生出力アンプ２１が記録媒体再生ユニット１１からの音声信号を選択するように制御される。このとき、記録媒体再生ユニット１１によって記録媒体１０に記録された音楽コンテンツが読み出される。そして、この音楽コンテンツを構成する音声信号となるアナログ信号が再生出力アンプ２１より出力され、記録媒体１０の音楽コンテンツによる音声がスピーカ２２より再生出力される。
【００５３】
このような再生動作を行うとき、記録媒体再生ユニット１１では、記録媒体１０よりＴＯＣデータが読み出されるため、ユーザによって指定された音楽コンテンツの記録位置を確認することができる。この記録媒体１０より読み出されたＴＯＣデータは、システムマイコン１４に与えられることにより、記録媒体１０に記録された音楽コンテンツの曲数や、現在再生されている曲の順番などを、表示部１３に表示させることができる。
【００５４】
（半導体メモリ装置内の音楽コンテンツの再生）
又、キー入力部１５が操作されて、半導体メモリ装置２に記録された音楽コンテンツの再生が要求されると、システムマイコン１４によって、半導体メモリ記録再生ユニット１２が再生動作を行い、再生出力アンプ２１がＤＡ変換回路２０からの音声信号を選択するように制御される。このとき、半導体メモリ記録再生ユニット１２によって半導体メモリ装置２に記録された音楽コンテンツが読み出される。そして、この音楽コンテンツを構成するデジタル信号が伸張回路１８に与えられて伸張された後、ワークバッファ１９で一時的に保管される。ＤＡ変換回路２０が、ワークバッファ１９に保管されたデジタル信号を順次読み出してアナログ信号となる音声信号に変換すると、このアナログ信号となる音声信号が再生出力アンプ２１より出力され、半導体メモリ装置２の音楽コンテンツによる音声がスピーカ２２より再生出力される。
【００５５】
このような再生動作を行うとき、半導体メモリ記録再生ユニット１２では、半導体メモリ装置２におけるＦＡＴ領域Ｘ２のＦＡＴテーブルとディレクトリエントリ領域Ｘ３のディレクトリエントリ及びファイルエントリを参照することで、ユーザによって指定された音楽コンテンツの記録位置を確認することができる。又、音楽コンテンツの音楽データだけでなく、音楽コンテンツの関連情報をも、半導体メモリ装置２から読み出されて、この関連情報がシステムマイコン１４に与えられる。そして、表示部１３では、関連情報より確認される音楽コンテンツの曲名、歌手名、アルバム名などを表示させることができる。
【００５６】
（音楽コンテンツの転送）
更に、キー入力部１５が操作されて、記録媒体１０に記録された音楽コンテンツの半導体メモリ装置２への転送が要求されると、システムマイコン１４によって、記録媒体再生ユニット１１が再生動作を行い、半導体メモリ記録再生ユニット１２が記録動作を行うように制御される。このとき、記録媒体再生ユニット１１によって記録媒体１０に記録された音楽コンテンツが読み出される。そして、この音楽コンテンツを構成する音声信号となるアナログ信号がＡＤ変換回路１６でデジタル信号に変換された後、圧縮回路１７で圧縮されてワークバッファ１９に与えられ、一時的に保管される。半導体メモリ記録再生ユニット１２が、ワークバッファ１９に保管されたデジタル信号を順次読み出して、半導体メモリ装置２に記録する。
【００５７】
このような転送動作を行うとき、記録媒体再生ユニット１１では、記録媒体１０より転送する音楽コンテンツのＴＯＣデータ及びサブデータが組み合わされたＴＯＣキーが読み出されて、システムマイコン１４に与えられる。このＴＯＣキーがシステムマイコン１４より、半導体メモリ記録再生ユニット１２に与えられることにより、半導体メモリ装置２に転送される音楽コンテンツに対してＴＯＣキーに基づくファイル名が生成され、ディレクトリエントリ領域Ｘ３の未使用のディレクトリエントリに記録される。
【００５８】
そして、ＦＡＴ領域Ｘ２のＦＡＴテーブルより空きクラスタが確認され、確認されたデータ領域Ｘ４の空きクラスタに音楽コンテンツを構成するデジタル信号が記録される。このようにして、音楽コンテンツがデータ領域Ｘ４に記録されるとともに、記録された音楽コンテンツのデータ領域Ｘ４における記録先を示すＦＡＴエントリとファイルエントリが形成される。又、ＴＯＣキーに基づいて生成されたファイル名が、データ領域Ｘ４に記録される音楽コンテンツのヘッダに追加されて記録される。
【００５９】
（記録媒体再生ユニット）
このように動作するオーディオ機器１における記録媒体再生ユニット１１の詳細な構成を、図９を参照して説明する。図９は、記録媒体再生ユニット１１の構成を示すブロック図である。
【００６０】
記録媒体再生ユニット１１は、図９に示すように、記録媒体１０となる光ディスクにレーザ光を照射する光ピックアップ１０１と、記録媒体１０となる光ディスクを周方向に移動させるスピンドルモータ１０２と、光ピックアップ１０１を径方向に移動させるスレッドモータ１０３と、光ピックアップ１０１の対物レンズ（不図示）のアクチュエータ（不図示）によるトラッキングエラー制御及びフォーカスエラー制御とスピンドルモータ１０２及びスレッドモータ１０３の駆動制御を行うドライバ回路１０４と、ト゛ライハ゛回路１０４に対して各種制御信号を与えるデジタルサーボ１０５と、光ピックアップ１０１で受光して得られた電気信号を増幅するとともにデジタル信号に変換するＲＦ処理回路１０６と、ＲＦ処理回路１０６で得られたデジタル信号より音楽コンテンツの音声データを含むデータとなるデジタル信号と各種制御を行うためのエラー信号とを分割する信号処理回路１０７と、信号処理回路１０７で得られた音楽コンテンツによるデジタル信号を復号化する復号化回路１０８と、復号化回路１０８で復号化されたデジタル信号をアナログ信号となる音声信号に変換するＤＡ変換回路１０９と、システムマイコン１４とデータのやりとりを行うとともに記録媒体再生ユニット１１の各ブロックを制御するユニット用マイコン１１０と、を備える。
【００６１】
１．再生動作
このように構成される記録媒体再生ユニット１１は、記録媒体１０が設置されたことを確認すると、ユニット用マイコン１１０によって信号処理回路１０７よりデジタルサーボ１０５を通じてドライバ回路１０６に各制御信号が与えられ、光ピックアップ１０１、スピンドルモータ１０２、及びスレッドモータ１０３それぞれが動作し、記録媒体１０のＴＯＣ領域に記録された情報が読み出される。このＴＯＣ領域に記録されたＴＯＣデータ及びサブデータが読み出されると、ＲＦ処理回路１０６及び信号処理回路１０７を介してユニット用マイコン１１０に与えられる。
【００６２】
よって、ＴＯＣデータにより、記録媒体１０に記録される各音楽コンテンツの記録される領域や記録された音楽コンテンツの数などが、ユニット用マイコン１１０で確認される。又、読み出されたＴＯＣデータ及びサブデータが、ユニット用マイコン１１０からシステムマイコン１４に与えられ、システムマイコン１４の不図示の内部メモリに一時的に保持される。そして、キー入力部１５から記録媒体１０の再生が指示されると、システムマイコン１４からユニット用マイコン１１０に音楽コンテンツの再生が指示される。
【００６３】
ユニット用マイコン１１０では、ＴＯＣデータを参照することで、再生が指示された音楽コンテンツの格納された記録媒体１０での領域を認識し、認識した記録領域にレーザ光を出射するように、信号処理回路１０７よりデジタルサーボ１０５を通じてドライバ回路１０６に各制御信号を与える。よって、光ピックアップ１０１、スピンドルモータ１０２、及びスレッドモータ１０３それぞれがドライバ回路１０６によって駆動し、再生が指示された音楽コンテンツが記録された記録媒体１０における記録領域に光ピックアップ１０１からのレーザ光が照射される。そして、光ピックアップ１０１では、記録媒体１０から反射光に基づく電気信号を生成し、ＲＦ処理回路１０６でデジタル信号として信号処理回路１０７に与える。
【００６４】
信号処理回路１０７では、音楽コンテンツを構成する音声データとなるデジタル信号を抽出して復号化回路１０８に与えることで、復号化回路１０８で復号化された後にＤＡ変換回路１０９でアナログ信号とされた音声信号が出力される。又、信号処理回路１０７において、音声データ以外のトラッキングエラー信号及びフォーカスエラー信号が取得され、デジタルサーボ１０５に与えられることで、ドライバ回路１０６によるトラッキングエラー制御及びフォーカスエラー制御が行われる。このように各ブロックが動作することで、ＴＯＣデータ及びサブデータが記録媒体１０より読み出された後、指定された音楽コンテンツの再生を行うために、ＴＯＣデータに基づいて記録媒体１０に記録された音楽コンテンツを構成する音声データが読み出される。
【００６５】
（半導体メモリ記録再生ユニット）
又、オーディオ機器１における半導体メモリ記録再生ユニット１２の詳細な構成を、図１０を参照して説明する。図１０は、半導体メモリ記録再生ユニット１２の構成を示すブロック図である。
【００６６】
半導体メモリ記録再生ユニット１２は、半導体メモリ装置２と通信接続するコネクタ部２０１と、コネクタ２０１に接続された半導体メモリ装置２との通信に対して物理層における親和性を図る物理層処理回路２０２と、物理層処理回路２０２と接続され半導体メモリ装置２との通信に対して論理層における親和性を図る論理層処理回路２０３と、ＦＡＴ型の管理方式によって半導体メモリ装置２内のファイルを管理するファイルシステム処理回路２０４と、音楽コンテンツの関連情報を認識する情報管理処理回路２０５と、システムマイコン１４、伸張回路１８、及びワークバッファ１９とデータのやりとりを行うとともに半導体メモリ記録再生ユニット１２の各ブロックを制御するユニット用マイコン２０６と、を備える。
【００６７】
このとき、コネクタ２０１に半導体メモリ装置２が接続されると、物理層処理回路２０２において、半導体メモリ装置２の物理層の規格が半導体メモリ記録再生ユニット１２で処理可能な規格であるか確認される。そして、論理層処理回路２０３において、半導体メモリ装置２から物理層処理回路２０２を通じて与えられるデータが、論理層で規格された方式で処理されて復号化されるとともに、物理層処理回路２０２を通じて半導体メモリ装置２に与えるコマンドデータが、論理層で規格された方式で処理されて符号化される。
【００６８】
よって、例えば、半導体メモリ装置２が、ＵＳＢ（Universal Serial Bus）メモリによって構成される場合、物理層処理回路２０２がＵＳＢトランシーバ・レシーバで構成され、論理層処理回路２０３が、物理層処理回路のパケットデータを解析しＵＳＢマスストレージクラスとしてのコマンド処理を行う。これにより、ＵＳＢメモリによって構成される半導体メモリ装置２が、半導体メモリ記録再生ユニット１２によってオーディオ機器１における１つのドライブ装置として認識される。
【００６９】
又、ファイルシステム処理回路２０４では、半導体メモリ装置２のＦＡＴ領域Ｘ２及びディレクタエントリ領域Ｘ３それぞれを参照することで、ＦＡＴ管理型の管理方式に従って、半導体メモリ装置２のデータ領域Ｘ４に対してファイルの書き込み及び読み出しを行うためのコマンドデータを生成し、論理層処理回路２０３に与える。
【００７０】
更に、このファイルシステム処理回路２０４は、半導体メモリ装置２に書き込みを行うファイルのデータとなるデジタル信号がユニット用マイコン２０６を介してワークバッファ１９より与えられると、この書き込みを行うファイルのデータを論理層処理回路２０３に与える。このとき、音楽コンテンツそのものとなるデータだけでなく、情報管理処理回路２０５から与えられるＴＯＣキーに基づくファイル名などの関連情報となるデータも、ファイルのデータの一部として、論理層処理回路２０３に与える。又、書き込むファイルのデータ領域Ｘ４における記録領域を示す情報が論理層処理回路２０３に与えられて、ＦＡＴ領域Ｘ２及びディレクタエントリ領域Ｘ３それぞれに書き込まれる。
【００７１】
逆に、半導体メモリ装置２から読み出されたファイルのデータが論理層処理回路２０３より与えられると、ファイルシステム処理回路２０４は、このファイルのデータとなるデジタル信号を、ユニット用マイコン２０６を介して伸張回路１８に与える。このとき、読み出しが行われるファイルからは、音楽コンテンツそのものとなるデータだけでなく、音楽コンテンツの関連情報となるデータも読み出される。そして、この音楽コンテンツの関連情報となるデータを処理して、情報管理処理回路２０５に与える。
【００７２】
情報管理処理回路２０５は、音楽コンテンツを１つのファイルとして半導体メモリ装置２に書き込む際、システムマイコン１４よりユニット用マイコン２０６を通じて与えられるＴＯＣキーとなるデータに基づいて、音楽コンテンツの仮のファイル名を生成することで、音楽コンテンツの関連情報を生成する。又、半導体メモリ装置２からファイルを読み出しているとき、読み出されたファイルにおける音楽コンテンツの関連情報を確認し、ユニット用マイコン２０６を通じてシステムマイコン１４に送出する。
【００７３】
又、情報管理処理回路２０５では、ファイルシステム処理回路２０４を通じて、半導体メモリ装置２のＦＡＴ領域Ｘ２及びディレクトリエントリ領域Ｘ３の内容を確認することで、半導体メモリ装置２における各ファイルに対して、リスティング処理やソーティング処理などを行う。尚、「リスティング処理」は、ディレクトリエントリ領域Ｘ３の内容と各ファイルの音楽コンテンツの関連情報に基づいて、半導体メモリ装置２に記録された音楽コンテンツの曲名を、所定の規則（例えば、記録順や記録位置順）に従ってリストアップする処理である。又、「ソーティング処理」は、ディレクトリエントリ領域Ｘ３の内容と各ファイルの音楽コンテンツの関連情報に基づいて、半導体メモリ装置２に記録された音楽コンテンツを、ファイル名、曲名、歌手名別に並べ替えてリストアップする処理である。
【００７４】
この情報管理処理回路２０５でリスティング処理又はソーティング処理して得られた半導体メモリ装置２内の音楽コンテンツのリスト情報が、ユニット用マイコン２０６を通じてシステムマイコン１４に与えられる。そして、システムマイコン１４が、与えられたリスト情報に基づいて表示部１３の表示制御を行うことで、半導体メモリ装置２に記録されている音楽コンテンツのファイル名又は曲名をリスト表示する。
【００７５】
１．再生動作
このように構成されるとき、キー入力部１５が操作されて、半導体メモリ装置２に格納された音楽コンテンツの再生が指示されると、再生する音楽コンテンツを指定する情報が、システムマイコン１４よりユニット用マイコン２０６に与えられる。そして、この再生する音楽コンテンツを指定する情報が情報管理処理回路２０５に与えられて、再生する音楽コンテンツが認識されると、ファイルシステム処理回路２０４において、再生する音楽コンテンツによるファイルが記録されているクラスタよりデータを読み出すためのコマンドデータが生成される。このコマンドデータが、論理層処理回路２０３で符号化された後、物理層処理回路２０２及びコネクタ２０１を介して、半導体メモリ装置２に与えられる。
【００７６】
よって、半導体メモリ装置２より、コマンドデータより指定されるクラスタ内に記録されたデータが読み出されることにより、再生する音楽コンテンツとなるファイルを構成するデータがコネクタ２０１に送信される。この読み出されたファイルのデータが物理層処理回路２０２を介して論理層処理回路２０３に与えられると、論理層処理回路２０３で復号化される。
【００７７】
そして、論理層処理回路２０３で復号化されたデータの内、音楽コンテンツそのものとなるデータが、ファイルシステム処理回路２０４でデジタル信号とされ、ユニット用マイコン２０６を介して伸長回路１８に与えられる。又、音楽コンテンツの関連情報となるデータが、ファイルシステム処理回路２０４を介して情報管理処理回路２０５に与えられ、再生される音楽コンテンツの曲名や歌手名を示すデータが確認され、ユニット用マイコン２０６を介してシステムマイコン１４に与えられる。よって、指定された音楽コンテンツの音声がスピーカ２２より再生出力されるとともに、再生している音楽コンテンツの曲名及び歌手名などが表示部１３に表示される。
【００７８】
２．記録動作
又、キー入力部１５が操作されて、半導体メモリ装置２への音楽コンテンツの記録が指示されると、記録される音楽コンテンツに対するＴＯＣキーとなるデータが、システムマイコン１４よりユニット用マイコン２０６を通じて、情報管理処理回路２０５に与えられる。情報管理処理回路２０５では、このＴＯＣキーとなるデータに基づいて音楽コンテンツの仮のファイル名を生成することで、音楽コンテンツの関連情報を生成する。
【００７９】
そして、生成した音楽コンテンツの関連情報が論理層処理回路２０３に与えられると、まず、ファイルを格納する先頭クラスタを設定するためのファイルエントリを生成し、物理層処理回路２０２及びコネクタ２０１を通じて、ディレクトリエントリ領域Ｘ３に新たなファイルエントリを記録する。その後、音楽コンテンツの関連情報を物理層処理回路２０２及びコネクタ２０１を通じて半導体メモリ装置２に与えることで、データ領域Ｘ４で確認された空きクラスタに音楽コンテンツの関連情報を書き込む。
【００８０】
この音楽コンテンツの関連情報が書き込まれると、ワークバッファ１９に保管されているデジタル信号をユニット用マイコン２０６が読み出すことにより、音楽コンテンツを構成するデジタル信号が論理層処理回路２０３に与えられる。そして、論理層処理回路２０３では、ＦＡＴテーブルを参照して格納先となる空きクラスタを確認すると、物理層処理回路２０２及びコネクタ２０１を通じて、確認したデータ領域Ｘ４における空きクラスタに音楽コンテンツのデジタル信号を書き込むとともに、ＦＡＴ領域Ｘ２のＦＡＴテーブルの設定を行う。
【００８１】
＜半導体メモリ装置＞
次に、半導体メモリ装置２の構成について、図１１を参照して説明する。図１１は、半導体メモリ装置２の内部構成を示すブロック図である。
【００８２】
半導体メモリ装置２は、図１１に示すように、曲名や歌手名などを表示する表示部５１と、オーディオ機器１や関連情報取得装置３と通信するために接続されるコネクタ５２と、コネクタ５２に接続されたオーディオ機器１や関連情報取得装置３との通信に対して物理層における親和性を図る物理層処理回路５３と、物理層処理回路５３と接続されオーディオ機器１や関連情報取得装置３との通信に対して論理層における親和性を図る論理層処理回路５４と、ＦＡＴ型の管理方式によってメモリ５６内のファイルを管理するファイルシステム処理回路５５と、音楽コンテンツなどの複数のファイルを記録するメモリ５６と、ユーザによる入力が行われるキー入力部５７と、半導体メモリ装置２内の各ブロックの動作制御を統制するシステムマイコン５８と、システムマイコン５８を通じて与えられる音楽コンテンツによるデジタル信号を復号化する伸張回路５９と、伸張回路５９でデータ伸張されたデジタル信号をアナログ信号となる音声信号に変換するＤＡ変換回路６０と、アナログ信号となる音声信号を増幅してイヤホン５０に出力する再生出力アンプ６１と、を備える。
【００８３】
（単独動作時のメモリ内の音楽コンテンツの再生）
このように構成される半導体メモリ装置２によると、図２（ｂ）のように単独で動作するとき、ファイルシステム管理部５５において、メモリ５６内のディレクトリエントリ領域Ｘ３が確認されて、再生可能なファイルとなる音楽コンテンツが認識され、この音楽コンテンツの関連情報がデータ領域Ｘ４より読み出される。そして、この音楽コンテンツの関連情報により、各音楽コンテンツの曲名や歌手名やアルバム名などの情報が確認され、確認された情報が表示部５１に表示される。よって、ユーザは、表示部５１に表示された曲名を確認しながらキー入力部５７を操作することで、再生したい音楽コンテンツを選択して確定することができる。
【００８４】
このように、キー入力部５７が操作されて、メモリ５６に記録された音楽コンテンツの再生が要求されると、システムマイコン５８を通じてファイルシステム処理回路５５に対して音楽コンテンツの再生が指示される。このとき、ファイルシステム処理回路５５では、再生が指示された音楽コンテンツによるファイルのメモリ５６のデータ領域Ｘ４に格納されているクラスタを、ＦＡＴ領域Ｘ２のＦＡＴテーブルとディレクトリエントリ領域Ｘ３のファイルエントリより確認する。そして、このファイルのデータをメモリ５６から読み出して、システムマイコン５８に送出する。
【００８５】
よって、システムマイコン５８では、音楽コンテンツそのものとなるデータと、音楽コンテンツの関連情報とが、ファイルシステム処理回路５５より与えられることとなる。そのため、関連情報より得られる曲名や歌手名やアルバム名を表示部５１に与えて表示させることで、再生する音楽コンテンツの曲名や歌手名やアルバム名の表示を行う。又、音楽コンテンツそのものとなるデータは、伸張回路５９に与えられてデータ伸張された後、ＤＡ変換回路６０でアナログ信号となる音声信号に変換される。このアナログ信号となる音声信号が、再生出力アンプ６１で増幅されて出力され、再生が指示されたメモリ５６内の音楽コンテンツによる音声がイヤホン５０より再生出力される。
【００８６】
（コネクタ接続時のメモリ内の音楽コンテンツの再生）
図２（ａ）又は図２（ｃ）のように、コネクタ５２にオーディオ機器１又は関連情報取得装置３が接続されているときの音楽コンテンツの再生動作について説明する。尚、以下では、オーディオ機器１の半導体メモリ記録再生ユニット１２のコネクタ２０１と接続された場合を例に挙げて、説明する。オーディオ機器１からの再生要求を示すコマンドデータが、コネクタ５２及び物理層処理回路５３を介して論理層処理回路５４に与えられる。このコマンドデータが論理層処理回路５４で復号化された後に、システムマイコン５８に与えられ、オーディオ機器１より再生要求があることを確認する。
【００８７】
その後、再生する音楽コンテンツのファイルが格納されたクラスタ位置を示すコマンドデータが、コネクタ５２及び物理層処理回路５３を介して論理層処理回路５４に与えられる。このコマンドデータが論理層処理回路５４で復号化されると、ファイルシステム処理回路５５に与えられ、メモリ５６における指示されたクラスタ位置のデータが読み出されることで、再生する音楽コンテンツに対するファイルがメモリ５６より読み出される。このとき、音楽コンテンツそのものとなるデータだけでなく、音楽コンテンツの関連情報も読み出される。
【００８８】
そして、この音楽コンテンツのファイルを構成するデータが論理層処理回路５４で符号化されると、コネクタ５２及び物理層処理回路５３を介してオーディオ機器１に送信される。よって、オーディオ機器１では、このファイルを構成するデータをコネクタ２０１で受信することで、上述したように、音楽コンテンツの音声をスピーカ２２より再生出力するとともに、音楽コンテンツの関連情報より得られる曲名や歌手名やアルバム名などを表示部１３で表示する。
【００８９】
（メモリ内への音楽コンテンツの記録）
図２（ａ）又は図２（ｃ）のように、コネクタ５２にオーディオ機器１又は関連情報取得装置３が接続されているときの音楽コンテンツの記録動作について説明する。尚、この記録動作についても、再生動作と同様、オーディオ機器１の半導体メモリ記録再生ユニット１２のコネクタ２０１と接続された場合を例に挙げて、説明する。再生時と同様、オーディオ機器１からの音楽コンテンツの記録要求を示すコマンドデータが、コネクタ５２及び物理層処理回路５３を介して論理層処理回路５４に与えられる。このコマンドデータが論理層処理回路５４で復号化された後に、システムマイコン５８に与えられ、オーディオ機器１より記録要求があることを確認する。
【００９０】
その後、記録する音楽コンテンツそのもののデータと関連情報とが、記録するクラスタ位置を示すコマンドデータとともに、コネクタ５２及び物理層処理回路５３を介して論理層処理回路５４に与えられる。この音楽コンテンツのデータ及び関連情報とコマンドデータとが論理層処理回路５４で復号化されると、ファイルシステム処理回路５５に与えられて、メモリ５６における指示されたクラスタ位置へ音楽コンテンツのデータ及び関連情報書き込まれる。このようにすることで、記録が要求された音楽コンテンツとその関連情報とによるファイルがメモリ５６のデータ領域Ｘ４に記録される。
【００９１】
又、音楽コンテンツ及び関連情報によって構成されるファイルのデータが、コマンドデータで指示されたデータ領域Ｘ４のクラスタ位置に記録されるとき、ファイルシステム処理回路５５では、記録されたクラスタ位置のリンク状態を示すように、ＦＡＴ領域Ｘ２におけるＦＡＴテーブルとディレクトリエントリ領域Ｘ３のファイルエントリの更新を行う。
【００９２】
＜関連情報取得装置＞
次に、関連情報取得装置３の構成について、図１２を参照して説明する。図１２は、関連情報取得装置３の内部構成を示すブロック図である。
【００９３】
関連情報取得装置３は、図１２に示すように、曲名や歌手名などを表示する表示部７１と、半導体メモリ装置２と通信接続するコネクタ７２と、コネクタ７２に接続された半導体メモリ装置２との通信に対して物理層における親和性を図る物理層処理回路７３と、物理層処理回路５３と接続され半導体メモリ装置２との通信に対して論理層における親和性を図る論理層処理回路７４と、ＦＡＴ型の管理方式によって半導体メモリ装置２内のファイルを管理するファイルシステム処理回路７５と、音楽コンテンツの関連情報を認識する情報管理処理回路７６と、ユーザによる入力が行われるキー入力部７７と、関連情報取得装置３内の各ブロックの動作制御を統制するシステムマイコン７８と、ネットワーク５と接続することでＣＤＤＢ４と相互通信を行う通信インターフェース（通信Ｉ／Ｆ）７９と、を備える。
【００９４】
このように構成される関連情報取得装置３によると、コネクタ７２に半導体メモリ装置２のコネクタ５２が接続され、図２（ｃ）のように半導体メモリ装置２と通信可能な状態とされると、物理層処理回路７３において、半導体メモリ装置２の物理層の規格が関連情報取得装置３で処理可能な規格であるか確認される。そして、論理層処理回路７４において、半導体メモリ装置２から物理層処理回路７３を通じて与えられるデータが、論理層で規格された方式で処理されて復号化されるとともに、物理層処理回路７３を通じて半導体メモリ装置２に与えるコマンドデータが、論理層で規格された方式で処理されて符号化される。
【００９５】
又、ファイルシステム処理回路７５は、半導体メモリ装置２のメモリ５６に格納されたファイルのヘッダ領域における音楽コンテンツの関連情報を読み出すとともに、情報管理処理回路７６で生成された関連情報を半導体メモリ装置２のメモリ５６に格納されたファイルヘッダ領域に書き込む。このとき、ファイルシステム処理回路７５は、メモリ５６のＦＡＴ領域Ｘ２のＦＡＴテーブル及びディレクタエントリ領域Ｘ３のエントリを参照することで、関連情報の読み出し及び書き込みを行う。
【００９６】
情報管理処理回路７６は、半導体メモリ装置２のメモリ５６に格納されたファイルのファイル名を確認し、そのファイル名よりファイルのヘッダ領域に格納された関連情報が既にＣＤＤＢ４より取得されたものであるか否かを確認する。そして、関連情報が取得されていないファイルについては、そのファイル名よりＴＯＣキーを生成してシステムマイコン７８に送出する。又、通信Ｉ／Ｆ７９を通じＣＤＤＢ４から取得された関連情報がシステムマイコン７８より与えられると、この関連情報に基づいてファイル名を生成し、このファイル名及び関連情報をファイルシステム処理回路７５に送出する。
【００９７】
（関連情報の取得）
コネクタ７２に半導体メモリ装置２のコネクタ５２が接続されると、半導体メモリ装置２のメモリ５６のＦＡＴ領域Ｘ２及びディレクタエントリ領域Ｘ３の記録内容を取得するためのコマンドデータがファイルシステム処理回路７５で生成される。このコマンドデータが半導体メモリ装置２に送出されて、ＦＡＴ領域Ｘ２のＦＡＴテーブル及びディレクタエントリ領域Ｘ３のエントリが取得されると、ディレクタエントリ領域Ｘ３のファイルエントリに記録されたファイル名が情報管理処理回路７６で確認される。
【００９８】
そして、情報管理処理回路７６において、確認された各ファイルのファイル名が、ＴＯＣキーにより生成されたファイル名、又は、ＣＤＤＢ４から取得された関連情報より生成されたファイル名のいずれであるかを確認することで、ＣＤＤＢ４から関連情報の取得が行われているか否かを認識する。そして、ＴＯＣキーにより生成されたファイル名であり、ＣＤＤＢ４からの関連情報が取得されていないファイルに対して、ファイル名よりＴＯＣキーを生成し、システムマイコン７８に送出する。
【００９９】
情報管理処理回路７６で生成されたＴＯＣキーがシステムマイコン７８より通信Ｉ／Ｆ７９に与えられることで、ネットワーク５を通じてＣＤＤＢ４に送信される。そして、ＣＤＤＢ４において、関連情報取得装置３より送信されたＴＯＣキーに対応する音楽コンテンツの関連情報が検索され、この関連情報が関連情報取得装置３の通信Ｉ／Ｆ７９で受信される。通信Ｉ／Ｆ７９で受信された関連情報は、システムマイコン７８より情報管理処理回路７６に与えられ、関連情報に基づいてファイル名が更新される。
【０１００】
その後、ファイル名と関連情報とがファイルシステム処理回路７５に与えられることで、新たに関連情報が取得されたファイルに対するファイルエントリのファイル名が変更される。又、ファイルシステム処理回路７５によって、ＦＡＴテーブル及びファイルエントリによって半導体メモリ装置２のメモリ５６におけるデータ領域Ｘ４での記録位置が確認され、ファイルのヘッダ領域の内容が新たに取得された関連情報による内容に更新される。更に、半導体メモリ装置２のメモリ５６におけるディレクトリエントリ領域Ｘ３のファイルエントリにおけるファイル名が、新たに生成されたファイル名に更新される。
【０１０１】
＜音楽コンテンツ転送動作＞
上述のような構成のオーディオ機器１のコネクタ２０１に半導体メモリ装置２のコネクタ５２が接続された図２（ａ）のような状態において、キー入力部１５が操作されて、記録媒体１０に記録された音楽コンテンツの半導体メモリ装置２への転送が要求されたときの動作について、図１３〜図１６を参照して説明する。図１３〜図１５は、オーディオ機器１の概略動作を示すフローチャートである。又、図１６は、音楽コンテンツ転送時における半導体メモリ装置２のメモリ５６での記録されるファイルの状態を示す図である。
【０１０２】
（記録媒体再生ユニットの初期化）
記録媒体再生ユニット１１では、図１３のフローチャートに示すように、記録媒体１０が設置されたか否かが確認される（ＳＴＥＰ１）。記録媒体１０の設置をユニット用マイコン１１０で確認すると（Ｙｅｓ）、光ピックアップ１０１などにより記録媒体１０からＴＯＣデータ及びサブデータを読み出す（ＳＴＥＰ２）。ＳＴＥＰ１からＳＴＥＰ２への移行は、記録媒体１０の設置が確認されるまで行われる。そして、ＴＯＣデータ及びサブデータが記録媒体１０より読み出されると、ユニット用マイコン１１０に与えられて、ユニット用マイコン１１０内の不図示の内部メモリにＴＯＣデータが格納される（ＳＴＥＰ３）。
【０１０３】
更に、記録媒体１０から読み出されたＴＯＣデータ及びサブデータは、ＴＯＣキーとして、ユニット用マイコン１１０よりシステムマイコン１４に与えられて、システムマイコン１４内の不図示の内部メモリに格納される（ＳＴＥＰ４）。このようにして、記録媒体再生ユニット１１に記録媒体１０が設置されることで各部が初期化されると、キー入力部１５によるユーザの操作が行われるまで待機状態となる（ＳＴＥＰ５）。
【０１０４】
（半導体メモリ記録再生ユニットの初期化）
半導体メモリ記録再生ユニット１２では、図１４のフローチャートに示すように、半導体メモリ装置２が接続されたか否かが確認される（ＳＴＥＰ１１）。半導体メモリ装置２のコネクタ５２がコネクタ２０１に接続されて、半導体メモリ装置２が接続されたことがユニット用マイコン２０６で確認すると（Ｙｅｓ）、ファイルシステム処理回路２０４において、半導体メモリ装置２のメモリ５６のＦＡＴ領域Ｘ２及びディレクトリエントリ領域Ｘ３それぞれの内容を獲得するためのコマンドデータを生成して、半導体メモリ装置２に送信する（ＳＴＥＰ１２）。ＳＴＥＰ１１からＳＴＥＰ１２への移行は、半導体メモリ２の接続が確認されるまで行われる。
【０１０５】
そして、コネクタ２０１を介して半導体メモリ装置２から送信される信号を受信すると、受信した信号が物理層処理回路２０２及び論理層処理回路２０３それぞれで処理可能であるか否かが確認されて、半導体メモリ装置２と通信可能であるか否かが確認される（ＳＴＥＰ１３）。半導体メモリ装置２の物理層処理回路５３及び論理層処理回路５４における処理方式が、物理層処理回路２０２及び論理層処理回路２０３における処理方式と合致するか否かを確認することで、通信可能であるか否かことが確認される。
【０１０６】
このとき、半導体メモリ装置２と通信不可能であることが確認されると（Ｎｏ）、ユニット用マイコン２０６よりシステムマイコン１４に通信不可能であることが伝えられ、表示部１３にエラー表示が成された後（ＳＴＥＰ１４）、ＳＴＥＰ１１に移行する。一方、半導体メモリ装置２と通信可能であることが確認されると（Ｙｅｓ）、半導体メモリ装置２のメモリ５６のＦＡＴ領域Ｘ２におけるＦＡＴテーブル及びディレクトリエントリＸ３におけるディレクトリエントリ及びファイルエントリを受信する（ＳＴＥＰ１５）。このＦＡＴテーブルとディレクトリエントリ及びファイルエントリとがファイルシステム処理回路２０４に与えられて記憶される（ＳＴＥＰ１６）。
【０１０７】
その後、半導体メモリ装置２のメモリ５６に格納される各ファイルにおける音楽コンテンツの関連情報を取得するためのコマンドデータを情報管理処理回路２０５で生成して、半導体メモリ装置２に送信する（ＳＥＴＰ１７）。半導体メモリ装置２では、このコマンドデータを受信すると、ファイルシステム処理回路５５で確認される各ファイルのメモリ５６のデータ領域Ｘ４における記録領域より、各ファイルに対する音楽コンテンツの関連情報が読み出される。
【０１０８】
この各ファイルに対する音楽コンテンツの関連情報を受信すると、ファイルシステム処理回路２０４において、ＦＡＴテーブル及びファイルエントリが参照されて、その属性、記録日時、及び記録位置などが確認される。そして、各音楽コンテンツに対する関連情報が、属性や記録日時や記録位置とともに、情報管理処理回路２０５に与えられて、リスティング処理又はソーティング処理されて格納される（ＳＴＥＰ１８）。
【０１０９】
その後、属性や記録日時や記録位置の情報とともにリスティング処理又はソーティング処理された各音楽コンテンツの関連情報が、ユニット用マイコン２０６よりシステムマイコン１４に与えられて、システムマイコン１４内の不図示の内部メモリに格納される（ＳＴＥＰ１９）。このようにして、半導体メモリ記録再生ユニット１２に半導体メモリ装置２が設置されることで各部が初期化されると、キー入力部１５によるユーザの操作が行われるまで待機状態となる（ＳＴＥＰ２０）。
【０１１０】
（音楽コンテンツの転送）
そして、図１５のフローチャートで示すように、キー入力部１５の操作によって音楽コンテンツの転送が指示されると（ＳＥＴＰ５１）、半導体メモリ記録再生ユニット１２で音楽コンテンツの記録が可能な記録準備状態となる（ＳＴＥＰ５２）。記録準備状態において、キー入力部１５が操作されることで、記録媒体１０から転送する音楽コンテンツの選択や録音モードなどの転送条件が設定される（ＳＥＴＰ５３）。このとき、転送するために選択された音楽コンテンツを示すＴＯＣデータがシステムマイコン１４の内部メモリ（不図示）に格納される。その後、音楽コンテンツの転送を行うことを確定することがキー入力部１５によって指示されたか否かが確認される（ＳＴＥＰ５４）。
【０１１１】
そして、音楽コンテンツの転送が確定されると（Ｙｅｓ）、選択された音楽コンテンツのうち１つめとなる音楽コンテンツの転送を開始するため、転送を開始する音楽コンテンツを示すＴＯＣデータがシステムマイコン１４からユニット用マイコン１１０に与えられる（ＳＴＥＰ５５）。尚、音楽コンテンツの転送順は、ＳＴＥＰ５３の転送条件としてユーザが設定できるものとしても構わないし、記録媒体１０に格納される順番によるものとしても構わないし、ユーザにより選択された順番によるものとしても構わない。
【０１１２】
よって、記録媒体再生ユニット１１において、転送が指示された音楽コンテンツの記録媒体１０からの読み出し動作が開始される（ＳＥＴＰ５６）。そのため、記録媒体再生ユニット１１では、転送が指示された音楽コンテンツが記録媒体１０から読み出される。そして、この音楽コンテンツのアナログ信号となる音声信号がＡＤ変換回路１６及び圧縮回路１７で処理された後、ワークバッファ１９に保管される。
【０１１３】
このように、転送する音楽コンテンツの記録媒体１０からの読み出しが開始されると、システムマイコン１４に記録されている転送する音楽コンテンツに対するＴＯＣデータとサブデータとによるＴＯＣキーが、半導体メモリ記録再生ユニット１２に与えられ、ファイルエントリの生成が行われる（ＳＴＥＰ５７）。このとき、まず、ＴＯＣキーがユニット用マイコン２０６を通じて情報管理処理回路２０５に与えられることで、ＴＯＣキーに基づくファイル名が生成される。本実施形態では、予め設定された固定部分とＴＯＣキーの内容とを合成することで、ファイル名が生成される。即ち、図１６（ａ）に示すように、固定部分がファイル名の先頭部分の「ＣＤ」と末尾部分「．ＸＸＸ」であり、ＴＯＣキーが「１２３４５ＪＰ」となるとき、ファイル名が「ＣＤ１２３４５ＪＰ．ＸＸＸ」とされる。
【０１１４】
そして、このファイル名とＴＯＣデータとがファイルシステム処理回路２０４に与えられ、ファイル名と音楽コンテンツの属性とファイルサイズとが確認されるとともに、現在時刻を確認することで記録日時が確認される。尚、ファイルサイズは、記録媒体１０に記録されている音楽コンテンツのファイルサイズに、この音楽コンテンツに対して付加する関連情報を記録するヘッダ領域の所定のファイルサイズが加算された値となる。
【０１１５】
又、ファイルシステム処理回路２０４では、ＦＡＴテーブルを参照することで、空きクラスタを確認して、音楽コンテンツによるファイルを格納する先頭クラスタが確認される。そして、このファイル名、属性、記録日時、ファイルサイズ、及び先頭クラスタによって構成されるファイルエントリを生成する。即ち、図１６（ａ）に示すようなファイル名「ＣＤ１２３４５ＪＰ．ＸＸＸ」のファイルのファイルエントリが生成されることとなる。
【０１１６】
尚、既に、同じファイル名となるファイルエントリが確認された場合は、ファイル名の末尾にシリアル番号付加などの処理を行う。即ち、ファイル名「ＣＤ１２３４５ＪＰ．ＸＸＸ」となるファイルのファイルエントリが存在する場合は、図１６（ｂ）に示すファイルエントリのように、シリアル番号「−１」を付加したファイル名「ＣＤ１２３４５ＪＰ−１．ＸＸＸ」とする。
【０１１７】
このようにファイルエントリの作成が行われると、このファイルエントリが半導体メモリ装置２に与えられて、メモリ５６のディレクトリエントリ領域Ｘ３に記録される。そして、音楽コンテンツに対して付加する関連情報を記録するヘッダ領域を形成するために、半導体メモリ装置２のメモリ５６おけるデータ領域Ｘ４に対して所定の領域分の確保が行われる（ＳＴＥＰ５８）。尚、このヘッダ領域に、ＳＴＥＰ５７で生成したファイル名が、音楽コンテンツの関連情報として記録される。
【０１１８】
このとき、ファイルシステム処理回路２０４において、ＳＴＥＰ５７で生成したファイルエントリとＦＡＴテーブルとによって、ヘッダ領域を形成する空きクラスタが確認される。この確認された空きクラスタにヘッダ領域を形成するためのコマンドデータを生成して、半導体メモリ装置２に送信する。よって、半導体メモリ装置２では、メモリ５６のデータ領域Ｘ４をヘッダ領域として形成し、関連情報の一部とされるＳＴＥＰ５７で生成したファイル名のみが記録される。又、ヘッダ領域として形成されたデータ領域Ｘ４のクラスタのリンク状態を示すように、ファイルシステム処理回路２０４においてＦＡＴテーブルの内容が更新され、この更新されたＦＡＴテーブルが半導体メモリ装置２に与えられることで、メモリ５６のＦＡＴ領域Ｘ２におけるＦＡＴテーブルの内容が更新される。
【０１１９】
その後、ユニット用マイコン２０６によってワークバッファ１９に蓄積された音楽コンテンツを構成するデジタル信号が読み出されて、ファイルシステム処理回路２０４でＦＡＴテーブルが参照されることで、音楽コンテンツによるデジタル信号の半導体メモリ装置２への書き込みが行われる（ＳＴＥＰ５９）。このとき、ファイルシステム処理回路２０４において、ＦＡＴテーブルを参照することで空きクラスタを確認すると、確認した空きクラスタをリンク先としてＦＡＴテーブルの更新を行うとともに、確認した空きクラスタに記録するように半導体メモリ装置２へ指示する。
【０１２０】
よって、半導体メモリ装置２では、ファイルシステム処理回路５５で、メモリ５６のデータ領域Ｘ４に対して、指示された空きクラスタを確認し、この空きクラスタに音楽コンテンツのデジタル信号を記録させる。又、オーディオ機器１のファイルシステム処理回路２０４で更新されたＦＡＴテーブルが与えられるため、オーディオ機器１より与えられたＦＡＴテーブルの内容と一致するように、ファイルシステム回路５５がメモリ５６のＦＡＴ領域Ｘ２のＦＡＴテーブルの内容を更新する。
【０１２１】
このようにして、音楽コンテンツを構成する全データが半導体メモリ装置２に転送されてメモリ５６のデータ領域Ｘ４に格納され、１つの音楽コンテンツの半導体メモリ装置２への転送が終了すると、最後に記録されたクラスタに相当するＦＡＴエントリを「FFFF」とするなどして、ファイル転送の完結処理を行う（ＳＴＥＰ６０）。このようにして内容が更新されたＦＡＴテーブルが、半導体メモリ装置２に与えられることで、メモリ５６のＦＡＴ領域Ｘ２のＦＡＴテーブルの内容も更新される。よって、半導体メモリ装置２に転送された音楽コンテンツによるファイルは、図１６（ｃ）のように、空白状態となる曲名（Title）、歌手名（Artist）、アルバム名（Album）を備えたヘッダ領域Ｙ１と、音楽コンテンツ本体のデータが記録された主情報領域Ｙ２とによって構成される。
【０１２２】
尚、記録したファイルサイズを再度確認して、ＳＴＥＰ５７で生成したファイルエントリに記録されたファイルサイズが更新されるものとしても構わない。このとき、ファイルサイズが更新されたファイルエントリが半導体メモリ装置２に与えられることで、メモリ５６のディレクトリエントリ領域Ｘ３のファイルエントリの内容も更新される。又、図１６（ｄ）のように、半導体メモリ装置２に転送するファイルの最後尾にフッタ領域Ｙ３を形成した後に、ＳＴＥＰ６０の完結処理を行うものとしても構わない。
【０１２３】
その後、システムマイコン１４が１つの音楽コンテンツの転送が終了したことを確認すると、転送するように選択された音楽コンテンツ全てについて、半導体メモリ装置２への転送が終了したか否かが確認される（ＳＴＥＰ６１）。そして、まだ転送されていない選択された音楽コンテンツが存在する場合（Ｎｏ）、次に転送する音楽コンテンツの転送を開始するため、ＳＴＥＰ５５と同様、転送する音楽コンテンツを示すＴＯＣデータがシステムマイコン１４からユニット用マイコン１１０に与えられる（ＳＴＥＰ６２）。ユニットマイコン１１０で転送する音楽コンテンツが確認されると、ＳＴＥＰ５６に移行して、ＳＴＥＰ５６以降の動作を行う。
【０１２４】
一方、ＳＴＥＰ６１において、システムマイコン１４が選択された音楽コンテンツを全て転送したことが確認された場合（Ｙｅｓ）、ユーザによるキー入力部１５に対応するためにオーディオ機器１は待機状態に移行する（ＳＴＥＰ６３）。又、ＳＴＥＰ５４において、音楽コンテンツの転送動作を行うことが確定されなかったとき（Ｎｏ）、転送動作を終了することがキー入力部１５を介して指示されたか否かが確認される（ＳＴＥＰ６４）。このとき、転送動作の終了が指示されなかった場合（Ｎｏ）、ＳＴＥＰ５３に移行して転送動作の設定が行われ、又、転送動作の終了が指示された場合（Ｙｅｓ）、ＳＥＴＰ６３に移行して待機状態となる。
【０１２５】
尚、このように音楽コンテンツの転送動作を行うとき、オーディオ機器１が、記録媒体再生ユニット１１から出力された音声信号による音声の検出を行う有音検出部を備える場合、この有音検出部で検出した音声に同期して、半導体メモリ装置２への音楽コンテンツの転送を行うものとしても構わない。又、上述のように動作しているとき、キー入力部１５が操作されて、転送動作の終了が指示されると、記録媒体再生ユニット１１における再生動作を停止した後、ワークバッファ１９に蓄積されているデジタル信号が全て半導体メモリ記録再生ユニット１２から半導体メモリ装置２へ転送される。そして、ＳＴＥＰ６０の完結処理が行われた後、転送動作を終了してＳＴＥＰ６３の待機状態に移行する。
【０１２６】
このように動作することで、音楽コンテンツを転送する際、転送した音楽コンテンツに仮のファイル名をＴＯＣキーに基づいて生成し、このファイル名を関連情報として半導体メモリ装置２へ転送して記録する音楽コンテンツを構成するファイルのヘッダ領域に追加して記録させることができる。よって、この半導体メモリ装置２に転送された音楽コンテンツによるファイルを読み出したとき、ヘッダ領域に格納された関連情報を確認することで、仮のファイル名を認識することができる。そして、この転送された音楽コンテンツの再生時において、オーディオ機器１の表示部１３や半導体メモリ装置２の表示部２１に仮のファイル名を表示させることができる。
【０１２７】
＜関連情報取得動作＞
又、上述のような構成の関連情報取得装置３のコネクタ７２に半導体メモリ装置２のコネクタ５２が接続された図２（ｃ）のような状態において、記録媒体１０に記録された音楽コンテンツに対する関連情報の取得動作について、図１７及び図１８を参照して説明する。図１７は、関連情報取得装置３の概略動作を示すフローチャートである。又、図１８は、関連情報取得時における半導体メモリ装置２のメモリ５６での記録されるファイルの状態を示す図である。
【０１２８】
この関連情報取得装置３は、半導体メモリ装置２が接続されると、まず、オーディオ機器１の半導体メモリ記録再生ユニット１２と同様の初期化動作が行われる。即ち、図１７のフローチャートに示すように、半導体メモリ装置２が接続されたか否かが確認される（ＳＴＥＰ１０１）。そして、半導体メモリ装置２が接続されたことがシステムマイコン７８で確認すると（Ｙｅｓ）、ファイルシステム処理回路７５において、半導体メモリ装置２のメモリ５６のＦＡＴ領域Ｘ２及びディレクトリエントリ領域Ｘ３それぞれの内容を獲得するためのコマンドデータを生成して、半導体メモリ装置２に送信する（ＳＴＥＰ１０２）。ＳＴＥＰ１０１からＳＴＥＰ１０２への移行は、半導体メモリ２の接続が確認されるまで行われる。
【０１２９】
その後、半導体メモリ装置２から送信される信号が物理層処理回路７３及び論理層処理回路７４それぞれで処理可能であるか否かが確認されて、半導体メモリ装置２と通信可能であるか否かが確認される（ＳＴＥＰ１０３）。このとき、半導体メモリ装置２と通信不可能であることが確認されると（Ｎｏ）、システムマイコン７８によって表示部７１にエラー表示が成された後（ＳＴＥＰ１０４）、ＳＴＥＰ１０１に移行する。
【０１３０】
一方、半導体メモリ装置２と通信可能であることが確認されると（Ｙｅｓ）、半導体メモリ装置２のメモリ５６のＦＡＴ領域Ｘ２におけるＦＡＴテーブル及びディレクトリエントリＸ３における及びファイルエントリを受信する（ＳＴＥＰ１０５）。このＦＡＴテーブルとディレクトリエントリ及びファイルエントリとがファイルシステム処理回路７５に与えられて記憶される（ＳＴＥＰ１０６）。
【０１３１】
その後、ファイルシステム処理回路７５で確認されたファイルエントリのうち、１つ目のファイルエントリが情報管理処理回路７６に与えられる（ＳＴＥＰ１０７）。尚、この１つ目のファイルエントリは、メモリ５６のディレクトリエントリＸ４で記録されている順番によって決定されるものであっても構わない。そして、情報管理処理回路７６において、ファイルシステム処理回路７５から与えられたファイルエントリに記録されたファイル名が確認される（ＳＴＥＰ１０８）。
【０１３２】
情報管理処理回路７６において、更に、確認したファイル名がＴＯＣキーにより構成されるものであるか否かが確認される（ＳＴＥＰ１０９）。このとき、ファイル名の固定部分が所定のものであるか否かを確認することによって、ＴＯＣキーにより構成されるものであるか否かが確認される。よって、図１６（ａ）又は図１６（ｂ）のように、ファイル名の先頭部分と末尾部分の固定部分がそれぞれ、「ＣＤ」、「．ＸＸＸ」となる場合は、ファイル名がＴＯＣキーにより構成されたものであると認識される。
【０１３３】
そして、ＴＯＣキーにより構成されたものであると確認されると（Ｙｅｓ）、ファイル名からＴＯＣキーの抽出が行われる（ＳＴＥＰ１１０）。このとき、ファイル名から固定部分が消去されることにより、ＴＯＣキーの抽出が行われる。又、固定部分を消去した後、更にシリアル番号が末尾に付加されているか否かを確認し、シリアル番号を確認したときは、シリアル番号も消去される。よって、図１６（ａ）のように「ＣＤ１２３４５ＪＰ．ＸＸＸ」となるファイル名については、固定部分である「ＣＤ」と「．ＸＸＸ」とが消去されて、「１２３４５ＪＰ」となるＴＯＣキーが得られる。又、図１６（ｂ）のように「ＣＤ１２３４５ＪＰ−１．ＸＸＸ」となるファイル名については、固定部分である「ＣＤ」と「．ＸＸＸ」とが消去された後、シリアル番号「−１」が消去されて、「１２３４５ＪＰ」となるＴＯＣキーが得られる。
【０１３４】
このようにして得られたＴＯＣキーがシステムマイコン７８に与えられると、通信Ｉ／Ｆ７９よりネットワーク５を通じてＣＤＤＢ４と通信を行うことで、ＴＯＣキーと一致する関連情報の検索が行われる（ＳＴＥＰ１１１）。即ち、ＴＯＣキーのサブデータにより、音楽コンテンツを備える記録媒体１０の製品コードが確認されるとともに、ＴＯＣキーのＴＯＣデータにより音楽コンテンツの記録媒体１０での曲目が確認される。よって、ＣＤＤＢ４では、ＴＯＣキーに基づいて、音楽コンテンツの曲名や歌手名やアルバム名となる関連情報が検索されることとなる。
【０１３５】
そして、ＣＤＤＢ４より関連情報を通信Ｉ／Ｆ７９で受信すると、この関連情報がシステムマイコン７８より情報管理処理回路７６に与えられる（ＳＴＥＰ１１２）。更に、この関連情報はファイルシステム処理回路７５に与えられ、現在処理しているファイルのヘッダ領域又はフッタ領域に記録されるように、半導体メモリ装置２のメモリ５６への書き込みが行われる（ＳＴＥＰ１１３）。即ち、現在処理しているファイルのファイルエントリとＦＡＴテーブルとを参照することで、半導体メモリ装置２のメモリ５６におけるデータ領域Ｘ４でのファイルのヘッダ領域及びフッタ領域の記録位置を確認し、得られた関連情報を半導体ファイル装置２へ送信して書き込む。
【０１３６】
このとき、図１８（ａ）のように関連情報として、曲名「ＡＢＣ」、歌手名「ＤＥＦ」、アルバム名「ＧＨＩ」となる関連情報が得られたとき、図１８（ｂ）のように、半導体メモリ装置２のメモリ５６におけるデータ領域Ｘ４に記録されるファイルは、そのヘッダ領域Ｙ１の空白状態であった曲名、歌手名、アルバム名それぞれに対して、曲名「ＡＢＣ」、歌手名「ＤＥＦ」、アルバム名「ＧＨＩ」が記録されることとなる。
【０１３７】
その後、情報管理処理回路７６において、取得した関連情報に基づいて、音楽コンテンツを含むファイルに対する新たなファイル名が生成される（ＳＴＥＰ１１４）。このとき、関連情報より得られる曲名の末尾に固定の「．ＸＸＸ」を付加したものを、新たに、ファイル名とする。又、仮のファイル名にシリアル番号が付加されていたファイルについては、曲名の末尾にシリアル番号と固定の「．ＸＸＸ」とを付加したものを、新たに、ファイル名とする。即ち、図１６（ａ）のようなファイル名であったファイルに対して、図１８（ａ）のような関連情報が取得された場合、図１８（ｃ）のように、「ＡＢＣ．ＸＸＸ」というファイル名が新たに生成される。又、図１６（ｂ）のようなファイル名であったファイルに対して、図１８（ａ）のような関連情報が取得された場合、図１８（ｄ）のように、「ＡＢＣ−１．ＸＸＸ」というファイル名が新たに生成される。
【０１３８】
そして、この新たに生成されたファイル名がファイルシステム処理回路７５に与えられて、ファイルエントリのファイル名が新たなファイル名に更新し、このファイルエントリを半導体メモリ装置２に与えて、メモリ５６のディレクトリエントリ領域Ｘ３に記録する（ＳＴＥＰ１１５）。このようにして、１つのファイルの関連情報を取得して半導体メモリ装置２のメモリ５６の記録内容を更新すると、情報管理処理回路５６において、半導体メモリ装置２のメモリ５６に格納された音楽コンテンツによるファイル全てに対して処理を行ったか否かが確認される（ＳＴＥＰ１１６）。尚、ＳＴＥＰ１０９において、確認したファイル名が既に関連情報により生成されたものである場合においても（Ｎｏ）、ＳＴＥＰ１１６に移行する。
【０１３９】
このＳＴＥＰ１１６において、まだヘッダ領域の情報が確認されていない音楽コンテンツによるファイルが存在する場合（Ｎｏ）、次にヘッダ領域の情報を確認するファイルを選択するため、ＳＴＥＰ１０７と同様、次に確認するファイルに対応するファイルエントリが情報管理処理回路７６に与えられる（ＳＴＥＰ１１７）。そして、ファイルエントリが情報管理処理回路７６が確認されると、ＳＴＥＰ１０８に移行して、ＳＴＥＰ１０８以降の動作を行う。
【０１４０】
一方、システムマイコン１４が選択された音楽コンテンツを全て転送したことが確認された場合（Ｙｅｓ）、システムマイコン７８によって、関連情報の取得が終了したことを表示部７１に表示し（ＳＴＥＰ１１８）、動作を終了する。これにより、ユーザが半導体メモリ装置２に記録された音楽コンテンツによるファイルに対して、それぞれの関連情報が取得されたことを認知することができる。
【０１４１】
尚、ＳＴＥＰ１１４及びＳＴＥＰ１１５において、ＣＤＤＢ４から関連情報を取得したとき、関連情報に基づいてファイル名の変更を行うものとしたが、ファイル名の変更を行わずに、もとのＴＯＣキーによるファイル名のままであっても構わない。このとき、半導体メモリ装置２のメモリ５６のデータ領域Ｘ４に記録されたファイルが削除された場合においても、ＦＡＴ管理型のファイル管理方式の場合、メモリ５６のディレクトリエントリＸ３に記録されたファイルエントリが削除されずに、削除されたことを示すフラグがファイルエントリに記録されることとなる。そして、半導体メモリ装置２に対してファイルの削除が求められたとき、音楽コンテンツそのものとなるデータの削除が行われるのみとし、ヘッダ領域Ｙ１及びフッタ領域Ｙ３に記録された関連情報が記録されたままとする。
【０１４２】
このようにすることで、記録媒体１０に半導体メモリ装置２から削除された音楽コンテンツが記録され、この音楽コンテンツがオーディオ機器１の記録媒体再生ユニット１１で再生される際などにおいても、半導体メモリ装置２のメモリ５６を確認して、音楽コンテンツの曲名、歌手名、アルバム名などの関連情報を認識することができる。即ち、メモリ５６のディレクトリＸ３におけるファイルエントリのファイル名のＴＯＣキーと照合させることで、照合したファイルエントリに対応する関連情報をメモリ５６のデータ領域Ｘ４より読み出すことで、記録媒体再生ユニット１１で処理される音楽コンテンツの関連情報を認識することができる。
【０１４３】
このように動作することで、半導体メモリ装置２において、関連情報が取得されていない音楽コンテンツに対して、そのファイル名よりＴＯＣキーを解読し、ＣＤＤＢ４より関連情報の検索を行うことができる。又、予め、各項目毎に空白として予約領域とされたヘッダ領域Ｙ１やフッタ領域Ｙ３が構成されるため、ＣＤＤＢ４より得られた関連情報を各項目毎に記録させることができる。
【０１４４】
尚、本実施形態において、オーディオ１が記録媒体１０の音楽コンテンツの半導体メモリ装置２への転送を行ったとき、ＴＯＣキーをＩＤとして関連情報に加え、ファイルのヘッダ領域又はフッタ領域に記録するものとしても構わない。即ち、ＴＯＣキーとして「１２３４５ＪＰ」が半導体メモリ記録再生ユニット１２に与えられたとき、図１９のように、メモリ５６内のファイルのヘッダ領域Ｙ１に、空白とされる関連情報の各項目「曲名」、「歌手名」、「アルバム名」とともに、ＴＯＣキーによるＩＤ「１２３４５ＪＰ」が記録される。このようなＩＤを備えることで、関連情報取得装置３の情報管理処理回路７６で、ファイルエントリによるファイル名とともに、このメモリ５６内より読み出されたヘッダ領域の情報からＩＤを確認して、関連情報を取得すべきファイルであることを確実に認識させることができる。
【０１４５】
又、オーディオ機器１における音楽コンテンツの半導体メモリ装置２への転送動作において、メモリ５６に新たにディレクトリ（フォルダ）が形成され、このディレクトリ（フォルダ）内に転送される音楽コンテンツによるファイルが記録されるものとしても構わない。このとき、ディレクトリエントリにおけるディレクトリ名がサブコードによるものとし、音楽コンテンツのファイルを表すファイルエントリにおけるファイル名がＴＯＣデータによるものとしても構わない。更に、関連情報取得装置３で関連情報が得られたとき、サブコードによるディレクトリ名をアルバム名に切り換えるとともに、ＴＯＣデータによるファイル名を曲名に切り換えるものとしても構わない。
【０１４６】
又、本実施形態において、ＣＤＤＢ４をインターネットなどネットワーク５を介したオンライン接続によるものとしたが、無線接続や関連情報取得装置３内部、又は、関連情報取得装置３にローカル接続された周辺機器が有するローカルデータベースであっても構わない。又、関連情報取得装置３を介することなく、半導体メモリ装置２が直接ＣＤＤＢ４と通信接続されるものとしても構わない。又、関連情報取得装置３と半導体メモリ装置２との間は、有線接続であっても無線接続であっても構わない。
【０１４７】
更に、本実施形態は、ＣＤＤＢ４を用いて、ＣＤなどの音楽コンテンツを記録した記録媒体１０からのコンテンツの転送を例に挙げて説明してきたが、これに限られるものではなく、例えば、デジタル放送の副情報や音声多重放送のデータ情報が半導体メモリ装置３に記録されるものであっても構わない。
【図面の簡単な説明】
【０１４８】
【図１】は、本実施形態のコンテンツ管理システムの構成を示すブロック図である。
【図２】は、図１のコンテンツ管理システムにおける各ブロックの動作関係を示す図である。
【図３】は、ＦＡＴ管理型のファイル管理方式により管理される記録媒体の構成を示す図である。
【図４】は、ＢＰＢの内容を説明するための図である。
【図５】は、ＦＡＴ領域におけるＦＡＴテーブルの構造示す図である。
【図６】は、ディレクトリエントリ領域の構造を示す図である。
【図７】は、ＦＡＴ管理型のファイル管理方式によるファイル管理方法を説明するための図である。
【図８】は、図１のコンテンツ管理システムにおけるオーディオ機器の内部構成を示すブロック図である。
【図９】は、図８のオーディオ機器における記録媒体再生ユニットの構成を示すブロック図である。
【図１０】は、図８のオーディオ機器における半導体メモリ記録再生ユニットの構成を示すブロック図である。
【図１１】は、図１のコンテンツ管理システムにおける半導体メモリ装置の内部構成を示すブロック図である。
【図１２】は、図１のコンテンツ管理システムにおける関連情報取得装置の内部構成を示すブロック図である。
【図１３】は、オーディオ機器に記録媒体が設置されたときの初期化動作を示すフローチャートである。
【図１４】は、オーディオ機器に半導体メモリ装置が接続されたときの初期化動作を示すフローチャートである。
【図１５】は、オーディオ機器における半導体メモリ装置への音楽コンテンツの転送動作を示すフローチャートである。
【図１６】は、音楽コンテンツ転送時における半導体メモリ装置のメモリでの記録されるファイルの状態を示す図である。
【図１７】は、関連情報取得装置における半導体メモリ装置内の音楽コンテンツに対する関連情報の取得動作を示すフローチャートである。
【図１８】は、関連情報取得時における半導体メモリ装置のメモリでの記録されるファイルの状態を示す図である。
【図１９】は、音楽コンテンツ転送時における半導体メモリ装置のメモリでの記録されるファイルの状態を示す図である。
【符号の説明】
【０１４９】
１    オーディオ機器
２    半導体メモリ装置
３    関連情報取得装置
４    ＣＤＤＢ
５    ネットワーク
１０    記録媒体
１１    記録媒体再生ユニット
１２    半導体メモリ記録再生ユニット
１３    表示部
１４    システムマイコン
１５    キー入力部
１６    ＡＤ変換回路
１７    圧縮回路
１８    伸張回路
１９    ワークバッファ
２０    ＤＡ変換回路
２１    再生出力アンプ
２２    スピーカ
５１    表示部
５２    コネクタ
５３    物理層処理回路
５４    論理層処理回路
５５    ファイルシステム処理回路
５６    メモリ
５７    キー入力部
５８    システムマイコン
５９    復号化回路
６０    ＤＡ変換回路
６１    再生出力アンプ
７１    表示部
７２    コネクタ
７３    物理層処理回路
７４    論理層処理回路
７５    ファイルシステム処理回路
７６    情報管理処理回路
７７    キー入力部
７８    システムマイコン
７９    通信Ｉ／Ｆ
１０１    光ピックアップ
１０２    スピンドルモータ
１０３    スレッドモータ
１０４    ドライバ回路
１０５    デジタルサーボ
１０６    ＲＦ処理回路
１０７    信号処理回路
１０８    復号化回路
１０９    ＤＡ変換回路
１１０    ユニット用マイコン
２０１    コネクタ
２０２    物理層処理回路
２０３    論理層処理回路
２０４    ファイルシステム処理回路
２０５    情報管理処理回路
２０６    ユニット用マイコン
【図１】
2007172244.tif 000003
【図２】
2007172244.tif 000004
【図３】
2007172244.tif 000005
【図４】
2007172244.tif 000006
【図５】
2007172244.tif 000007
【図６】
2007172244.tif 000008
【図７】
2007172244.tif 000009
【図８】
2007172244.tif 000010
【図９】
2007172244.tif 000011
【図１０】
2007172244.tif 000012
【図１１】
2007172244.tif 000013
【図１２】
2007172244.tif 000014
【図１３】
2007172244.tif 000015
【図１４】
2007172244.tif 000016
【図１５】
2007172244.tif 000017
【図１６】
2007172244.tif 000018
【図１７】
2007172244.tif 000019
【図１８】
2007172244.tif 000020
【図１９】
2007172244.tif 000021